(57)【要約】  【課題】  記録媒体の表面や裏面を汚すことなく、縁無し画像記録を実行できる画像形成装置を提供すること。  【解決手段】  縁無し画像記録である場合に、記録ヘッドにて記録を実行しつつ往路を移動したキャリッジが、復路の移動を開始するまでの待機時間を通常よりも長くする事ができ（Ｓ２３）、また、復路を移動するキャリッジの速度（リターン速度）を遅くすることができる（Ｓ２５）。このため、発生したインクミストによる記録用紙Ｐの（先端縁近傍の裏面に対する）汚染を改善することができる。更に、待機時間およびリターン速度は、操作パネル１４への操作者の入力操作により、変更することができる。このため、操作者の所望する様式で記録を実行できる。  【選択図】        図７
2006103010.tif 000002
【特許請求の範囲】
【請求項１】
インクを吐出する記録ヘッドを搭載する移動手段と、その移動手段を前記記録媒体に対して主走査方向に往復動させる駆動手段と、前記記録媒体を副走査方向に搬送する媒体搬送手段と、前記駆動手段および前記媒体搬送手段を駆動して記録動作を実行する制御手段とを有し、前記記録媒体の縁を含む領域にインクを吐出して余白を生じさせない縁無し記録を実行し得る画像形成装置において、
前記制御手段は、縁無し記録に際し、前記記録ヘッドにより記録を実行しつつ前記移動手段を移動させて前記記録媒体に対する１方向の記録が終了したことを条件として、前記移動手段を所定時間待機させた後、前記１方向とは反対の他方向へ前記移動手段を移動させることを特徴とする画像形成装置。
【請求項２】
前記制御手段は、前記記録媒体の先端縁を含む領域に対して縁無し記録が行われるとき、前記記録媒体に対して前記移動手段を１方向に移動させて移動を終了した後、前記移動手段を所定時間待機させて他方向へ前記移動手段を移動させることを特徴とする請求項１記載の画像形成装置。
【請求項３】
前記制御手段は、前記記録ヘッドによる記録を実行せずに前記移動手段が１方向の移動を終了した場合には、前記移動手段の所定時間の待機を非実行として、前記移動手段を前記他方向へ移動させることを特徴とする請求項１または２に記載の画像形成装置。
【請求項４】
前記移動手段が１方向の移動を終了してからの経過時間を計時する計時手段と、
前記移動手段を待機させる時間に対応する情報を記憶する時間記憶手段とを備え、
前記制御手段は、縁無し記録に際して、前記時間記憶手段に記憶される情報に基づいた時間が前記計時手段により計時されると、前記移動手段を他方向へ移動させることを特徴とする請求項１から３のいずれかに記載の画像形成装置。
【請求項５】
前記移動手段を待機させる時間に対応する情報を操作者の入力操作により入力する時間入力手段を備えており、
前記時間記憶手段は、その時間入力手段の入力操作により入力された情報を記憶するものであることを特徴とする請求項４記載の画像形成装置。
【請求項６】
前記制御手段により実行される前記移動手段の所定時間の待機を、操作者の入力操作に基づいて指示する第１指示手段を備えており、
前記制御手段は、その第１指示手段により前記所定時間の待機が指示された場合、縁無し記録に際し、前記移動手段を移動させて前記記録ヘッドによる前記記録媒体に対する１方向の記録が終了すると、前記移動手段を所定時間待機させた後、他方向へ前記移動手段を移動させる一方、前記第１指示手段により前記移動手段の所定時間の待機が指示されなかった場合には、前記所定時間の待機を非実行として、前記移動手段を他方向へ移動させるものであることを特徴とする請求項１から５のいずれかに記載の画像形成装置。
【請求項７】
前記制御手段は、前記記録ヘッドによる記録動作と前記媒体搬送手段による記録媒体の搬送とを交互に実行させると共に、前記移動手段の移動が待機されている間は、前記媒体搬送手段による前記記録媒体の搬送を待機するものであることを特徴とする請求項１から６のいずれかに記載の画像形成装置。
【請求項８】
前記記録媒体に記録する記録データを備えた記録情報を入力する記録情報入力手段を備えており、
前記制御手段は、その記録情報入力手段により入力された記録情報が、前記記録データについて縁無し記録を指定する縁無し指定情報を有しているか否かを判断する判断手段を備えており、その判断手段により縁無し指定情報を有していると判断された場合には、縁無し記録に際し、前記記録ヘッドにより記録を実行しつつ前記移動手段を移動させて前記記録媒体に対する１方向の記録が終了すると、前記移動手段を所定時間待機させた後、他方向へ前記移動手段を移動させる一方、前記判断手段により縁無し指定情報を有していると判断されなかった場合には、前記所定時間の待機を非実行として、前記移動手段を他方向へ移動させるものであることを特徴とする請求項１から７のいずれかに記載の画像形成装置。
【請求項９】
前記制御手段は、縁無し記録に際し、前記記録ヘッドにより記録を実行しつつ１方向に移動する前記移動手段の移動速度に比べて、遅い速度で、他方向へ前記移動手段を移動することを特徴とする請求項１から８のいずれかに記載の画像形成装置。
【請求項１０】
インクを吐出する記録ヘッドを搭載する移動手段と、その移動手段を前記記録媒体に対して主走査方向に往復動させる駆動手段と、前記記録媒体を副走査方向に搬送する媒体搬送手段と、前記駆動手段および前記媒体搬送手段を駆動して記録動作を実行する制御手段とを有し、前記記録媒体の縁を含む領域にインクを吐出して余白を生じさせない縁無し記録を実行し得る画像形成装置において、
前記制御手段は、縁無し記録に際し、前記記録ヘッドにより記録を実行しつつ１方向に移動する前記移動手段の移動速度に比べて、遅い速度で、前記１方向とは反対の他方向へ前記移動手段を移動することを特徴とする画像形成装置。
【請求項１１】
前記制御手段は、前記記録媒体の先端縁を含む領域に対する縁無し記録であると、前記記録ヘッドにより記録を実行しつつ１方向に移動する前記移動手段の移動速度に比べて、遅い速度で、前記１方向とは反対の他方向へ前記移動手段を移動することを特徴とする請求項９または１０に記載の画像形成装置。
【請求項１２】
前記制御手段は、前記移動手段を１方向に移動させる場合と他方向へ移動させる場合との両方において前記記録ヘッドによる記録を実行する場合には、前記移動手段を前記１方向に移動する移動速度と他方向に移動する移動速度とを略同一とすることを特徴とする請求項９から１１のいずれかに記載の画像形成装置。
【請求項１３】
速度に対応する情報を操作者の入力操作により入力する速度入力手段と、
その速度入力手段により入力された速度に対応する情報を記憶する速度記憶手段とを備えており、
前記制御手段は、縁無し記録に際し、他方向へ前記移動手段を移動する移動速度を、前記速度記憶手段に記憶される情報に基づいて設定するものであることを特徴とする請求項９から１２のいずれかに記載の画像形成装置。
【請求項１４】
前記移動手段の遅い速度での移動を、操作者の入力操作に基づいて指示する第２指示手段を備えており、前記制御手段は、その第２指示手段により前記移動手段の遅い速度での移動が指示された場合、縁無し記録に際し、前記記録ヘッドにより記録を実行しつつ１方向に移動する前記移動手段の移動速度に比べて、遅い速度で、他方向へ前記移動手段を移動する一方、前記第２指示手段により前記移動手段の遅い速度での移動が指示されなかった場合には、前記移動手段を前記１方向に移動する移動速度と他方向に移動する移動速度とを略同一とすることを特徴とする請求項９から１３のいずれかに記載の画像形成装置。
【請求項１５】
前記記録媒体に記録する記録データを備えた記録情報を入力する記録情報入力手段を備えており、
前記制御手段は、その記録情報入力手段により入力された記録情報が、前記記録データについて縁無し記録を指定する縁無し指定情報を有しているか否かを判断する判断手段を備えており、その判断手段により縁無し指定情報を有していると判断された場合には、縁無し記録に際し、前記記録ヘッドにより記録を実行しつつ１方向に移動する前記移動手段の移動速度に比べて、遅い速度で、他方向へ前記移動手段を移動する一方、前記判断手段により縁無し指定情報を有していると判断されなかった場合には、前記移動手段を前記１方向に移動する移動速度と他方向に移動する移動速度とを略同一とすることを特徴とする請求項９から１４のいずれかに記載の画像形成装置。
【発明の詳細な説明】
【技術分野】
【０００１】
本発明は、画像形成装置に係り、より詳しくは、記録媒体（記録用紙）の縁から縁まで画像記録する、いわゆる縁無し画像記録をする画像形成装置に関するものである。
【背景技術】
【０００２】
従来より、インクジェット式のプリンタにおいて、所定方向（主走査方向）に往復移動可能なキャリッジには、ノズル面（インク吐出面）が下向きとなるように記録ヘッドが搭載され、その記録ヘッドにより印刷される記録媒体（記録用紙）は、主走査方向と直交する方向（副走査方向）にて一定間隔で間欠的に搬送される。ノズル面と対向する下方には、プラテンが配置されており、搬送された記録媒体はかかるプラテンに支持されて、記録ヘッドに対向する位置に配設される。そして、記録ヘッドのノズルから吐出するインク滴により、記録媒体表面（上面）に画像を記録することが行われている。
【０００３】
ところで、記録媒体に対していわゆる縁無し画像記録を実行するとき、記録媒体の搬送方向の画像記録領域（ノズルから吐出されたインク滴が着弾する範囲、記録ヘッドにおいて使用するノズルが形成された範囲におおよそ対向する領域）の下流側縁に記録媒体の先端が来る前に、インク吐出が開始されるし、画像記録領域の上流側縁を記録媒体の後端が過ぎるまでインク吐出を実行している。そうすると、記録媒体の先端縁及び後端縁に掛からないインク滴がプラテン上面に付着するので、後続する記録媒体がプラテンに支持される（摺接する）ときに、このプラテンに付着したインクで記録媒体の裏面（下面）を汚すという問題があった。
【０００４】
この問題を解決するため、特許文献１では、記録ヘッドによる画像記録領域を挟んで搬送方向の上流側にて直立する上流側壁と下流側にて直立する下流側壁とが、主走査方向に沿って延びるように形成され、これら上流側壁と下流側壁との間が上向きに開口してなるプラテンを配置する。そして、これら上流側壁と下流側壁との上端にはそれぞれ波状のリブが突出され、開口内にインク吸収体を配置する技術を提案している。
【特許文献１】特開２０００−１１８０５８公報（図３、図４Ａ，図４Ｂ，図４Ｃ参照）
【発明の開示】
【発明が解決しようとする課題】
【０００５】
しかしながら、上記特許文献１の構造によれば、プラテンの開口内にインク吸収体を配置したとき、このインク吸収体の上面が通過する記録媒体と接触しないようにするため、インク吸収体の上面が波状のリブの上端面より上に突出しないように配置する必要がある。そのためには、インク吸収体の寸法形状を、厳密に管理して、プラテンの開口内に挿入する必要があり、インク吸収体の組み込み作業などに手間が掛かる。
【０００６】
また、インク吸収体によるインク収容能力を高めるためにプラテンの開口面積を大きくするには、上流側壁と下流側壁との搬送方向の間の寸法を大きくするしか方策がない。このように上流側壁と下流側壁との搬送方向の間隔が広いと、記録媒体の前端（先端）縁が上流側壁の波状のリブを越えて開口内に位置するときや記録媒体の後端縁が上流側壁の波状のリブを通過した後に開口内に位置するとき、つまり、記録媒体の前端縁や後端縁が、上流側壁もしくは下流側壁の波状のリブにて片持ち梁的に支持されているときに、腰の弱い記録媒体の前端縁や後端縁が垂れ下がりし易くなり、開口内のインク吸収体の上面に接触し易くなり、記録媒体の裏面がインクで汚れ易くなるという問題があった。
【０００７】
更に、縁無し画像記録では、記録媒体の縁の外側に吐出されインクによって、インクミストが発生し、かかるインクミストによって記録媒体が汚染される、特に記録媒体の裏面が汚染されるという問題点があった。特に近年、記録画像の高画質化を追求することによりインク滴が微細化しており、これにより、インクミストがより発生し易い状況となっている。このため、高画質な画像記録を実現しつつ記録媒体への汚染を回避することが困難であるという問題点があった。
【０００８】
本発明は上記のような問題点を解決するためになされたものであって、記録媒体の表面や裏面を汚すことなく、縁無し画像記録を実行できる画像形成装置を提供することを目的とするものである。
【課題を解決するための手段】
【０００９】
上記の目的を達成するため、請求項１に記載の画像形成装置は、インクを吐出する記録ヘッドを搭載する移動手段と、その移動手段を前記記録媒体に対して主走査方向に往復動させる駆動手段と、前記記録媒体を副走査方向に搬送する媒体搬送手段と、前記駆動手段および前記媒体搬送手段を駆動して記録動作を実行する制御手段とを有し、前記記録媒体の縁を含む領域にインクを吐出して余白を生じさせない縁無し記録を実行し得るものであり、前記制御手段は、縁無し記録に際し、前記記録ヘッドにより記録を実行しつつ前記移動手段を移動させて前記記録媒体に対する１方向の記録が終了したことを条件として、前記移動手段を所定時間待機させた後、前記１方向とは反対の他方向へ前記移動手段を移動させる。
【００１０】
請求項２記載の画像形成装置は、請求項１記載の画像形成装置において、前記制御手段は、前記記録媒体の先端縁を含む領域に対して縁無し記録が行われるとき、前記記録媒体に対して前記移動手段を１方向に移動させて移動を終了した後、前記移動手段を所定時間待機させて他方向へ前記移動手段を移動させる。
【００１１】
請求項３記載の画像形成装置は、請求項１または２に記載の画像形成装置において、前記制御手段は、前記記録ヘッドによる記録を実行せずに前記移動手段が１方向の移動を終了した場合には、前記移動手段の所定時間の待機を非実行として、前記移動手段を前記他方向へ移動させる。
【００１２】
請求項４記載の画像形成装置は、請求項１から３のいずれかに記載の画像形成装置において、前記移動手段が１方向の移動を終了してからの経過時間を計時する計時手段と、前記移動手段を待機させる時間に対応する情報を記憶する時間記憶手段とを備え、前記制御手段は、縁無し記録に際して、前記時間記憶手段に記憶される情報に基づいた時間が前記計時手段により計時されると、前記移動手段を他方向へ移動させる。
【００１３】
請求項５記載の画像形成装置は、請求項４記載の画像形成装置において、前記移動手段を待機させる時間に対応する情報を操作者の入力操作により入力する時間入力手段を備えており、前記時間記憶手段は、その時間入力手段の入力操作により入力された情報を記憶するものである。
【００１４】
請求項６記載の画像形成装置は、請求項１から５のいずれかに記載の画像形成装置において、前記制御手段により実行される前記移動手段の所定時間の待機を、操作者の入力操作に基づいて指示する第１指示手段を備えており、前記制御手段は、その第１指示手段により前記所定時間の待機が指示された場合、縁無し記録に際し、前記移動手段を移動させて前記記録ヘッドによる前記記録媒体に対する１方向の記録が終了すると、前記移動手段を所定時間待機させた後、他方向へ前記移動手段を移動させる一方、前記第１指示手段により前記移動手段の所定時間の待機が指示されなかった場合には、前記所定時間の待機を非実行として、前記移動手段を他方向へ移動させるものである。
【００１５】
請求項７記載の画像形成装置は、請求項１から６のいずれかに記載の画像形成装置において、前記制御手段は、前記記録ヘッドによる記録動作と前記媒体搬送手段による記録媒体の搬送とを交互に実行させると共に、前記移動手段の移動が待機されている間は、前記媒体搬送手段による前記記録媒体の搬送を待機するものである。
【００１６】
請求項８記載の画像形成装置は、請求項１から７のいずれかに記載の画像形成装置において、前記記録媒体に記録する記録データを備えた記録情報を入力する記録情報入力手段を備えており、前記制御手段は、その記録情報入力手段により入力された記録情報が、前記記録データについて縁無し記録を指定する縁無し指定情報を有しているか否かを判断する判断手段を備えており、その判断手段により縁無し指定情報を有していると判断された場合には、縁無し記録に際し、前記記録ヘッドにより記録を実行しつつ前記移動手段を移動させて前記記録媒体に対する１方向の記録が終了すると、前記移動手段を所定時間待機させた後、他方向へ前記移動手段を移動させる一方、前記判断手段により縁無し指定情報を有していると判断されなかった場合には、前記所定時間の待機を非実行として、前記移動手段を他方向へ移動させるものである。
【００１７】
請求項９記載の画像形成装置は、請求項１から８のいずれかに記載の画像形成装置において、前記制御手段は、縁無し記録に際し、前記記録ヘッドにより記録を実行しつつ１方向に移動する前記移動手段の移動速度に比べて、遅い速度で、他方向へ前記移動手段を移動する。
【００１８】
請求項１０記載の画像形成装置は、インクを吐出する記録ヘッドを搭載する移動手段と、その移動手段を前記記録媒体に対して主走査方向に往復動させる駆動手段と、前記記録媒体を副走査方向に搬送する媒体搬送手段と、前記駆動手段および前記媒体搬送手段を駆動して記録動作を実行する制御手段とを有し、前記記録媒体の縁を含む領域にインクを吐出して余白を生じさせない縁無し記録を実行し得るものであり、前記制御手段は、縁無し記録に際し、前記記録ヘッドにより記録を実行しつつ１方向に移動する前記移動手段の移動速度に比べて、遅い速度で、前記１方向とは反対の他方向へ前記移動手段を移動する。
【００１９】
請求項１１記載の画像形成装置は、請求項９または１０に記載の画像形成装置において、前記制御手段は、前記記録媒体の先端縁を含む領域に対する縁無し記録であると、前記記録ヘッドにより記録を実行しつつ１方向に移動する前記移動手段の移動速度に比べて、遅い速度で、前記１方向とは反対の他方向へ前記移動手段を移動する。
【００２０】
請求項１２記載の画像形成装置は、請求項９から１１のいずれかに記載の画像形成装置において、前記制御手段は、前記移動手段を１方向に移動させる場合と他方向へ移動させる場合との両方において前記記録ヘッドによる記録を実行する場合には、前記移動手段を前記１方向に移動する移動速度と他方向に移動する移動速度とを略同一とする。
【００２１】
請求項１３記載の画像形成装置は、請求項９から１２のいずれかに記載の画像形成装置において、速度に対応する情報を操作者の入力操作により入力する速度入力手段と、その速度入力手段により入力された速度に対応する情報を記憶する速度記憶手段とを備えており、前記制御手段は、縁無し記録に際し、他方向へ前記移動手段を移動する移動速度を、前記速度記憶手段に記憶される情報に基づいて設定するものである。
【００２２】
請求項１４記載の画像形成装置は、請求項９から１３のいずれかに記載の画像形成装置において、前記移動手段の遅い速度での移動を、操作者の入力操作に基づいて指示する第２指示手段を備えており、前記制御手段は、その第２指示手段により前記移動手段の遅い速度での移動が指示された場合、縁無し記録に際し、前記記録ヘッドにより記録を実行しつつ１方向に移動する前記移動手段の移動速度に比べて、遅い速度で、他方向へ前記移動手段を移動する一方、前記第２指示手段により前記移動手段の遅い速度での移動が指示されなかった場合には、前記移動手段を前記１方向に移動する移動速度と他方向に移動する移動速度とを略同一とする。
【００２３】
請求項１５記載の画像形成装置は、請求項９から１４のいずれかに記載の画像形成装置において、前記記録媒体に記録する記録データを備えた記録情報を入力する記録情報入力手段を備えており、前記制御手段は、その記録情報入力手段により入力された記録情報が、前記記録データについて縁無し記録を指定する縁無し指定情報を有しているか否かを判断する判断手段を備えており、その判断手段により縁無し指定情報を有していると判断された場合には、縁無し記録に際し、前記記録ヘッドにより記録を実行しつつ１方向に移動する前記移動手段の移動速度に比べて、遅い速度で、他方向へ前記移動手段を移動する一方、前記判断手段により縁無し指定情報を有していると判断されなかった場合には、前記移動手段を前記１方向に移動する移動速度と他方向に移動する移動速度とを略同一とする。
【発明の効果】
【００２４】
請求項１記載の画像形成装置によれば、駆動手段および媒体搬送手段は制御手段により制御され、移動手段は、駆動手段により、主走査方向に往復駆動される。また、記録媒体は媒体搬送手段により副走査方向に搬送される。そして、移動手段に搭載された記録ヘッドから、記録媒体の縁を含む領域にインクが吐出され、記録媒体上に余白を生じさせない縁無し記録が実行される。縁無し記録に際しては、記録ヘッドにより記録を実行しつつ移動手段を移動させて記録媒体に対する（主走査方向の）１方向の記録が終了すると、制御手段により、移動手段は、所定時間待機された後、１方向とは反対の他方向へ移動される。つまり、記録終了後の移動手段の次の移動の開始が、所定時間待機される。
【００２５】
よって、縁無し記録に際し、記録媒体の縁を含む領域（縁の外側を含む）に吐出されたインク滴によりインクミストが発生しても、記録ヘッドの移動が待機されない場合に比べて、より多くのインクミストを着弾（沈降）させた状態で、記録ヘッド（移動手段）を移動させることができる。記録媒体以外の部位であってもいずれかの部位に着弾したインクミストは、再び、インクミストにはなり難い。このため、記録終了後の移動手段の次の移動の開始を、所定時間待機させることにより、その所定時間分、インクミストの着弾量を増加させることができる。言い換えれば、移動手段の移動するタイミングにおいて、ミスト状態にあるインク滴を減少させておくことができる。従って、移動手段を移動させても、その移動に伴って巻き上げてしまうインクミストの量を低減でき、インクミストが多量に浮遊した状態で断続的に記録が実行されることを回避できるという効果がある。その結果、インクミストによる記録媒体の汚染を低減することができるという効果がある。特に、移動手段の移動によって巻き上げられるインクミストに起因する記録媒体の裏面の汚染を効果的に抑制することができるという効果がある。
【００２６】
近年、記録画像の高画質化を行う１つの手法として、吐出するインク滴の微小化が採用されているが、吐出されるインク滴が微小であるほど発生するインクミスト量が増大する傾向にある。しかし、本装置においては、浮遊するインクミストを低減させた状態で、記録ヘッドを移動させることができるので、インクミストによる記録媒体の汚染を抑制しつつ、微小化されたインク滴による高画質の記録を実現することができるという効果がある。
【００２７】
請求項２記載の画像形成装置によれば、請求項１記載の画像形成装置の奏する効果に加え、記録媒体の先端縁を含む領域に対する縁無し記録であると、記録媒体に対して移動手段を１方向に移動させて記録を終了した後、制御手段により、移動手段は、所定時間待機されてから他方向へ移動される。
【００２８】
よって、先端縁を含む領域に対する記録動作である場合に、移動手段の所定時間の待機を実行する一方、先端縁を含む領域以外での記録動作では、かかる待機を非実行とすることができる。従って、記録媒体の汚染を低減しつつ、全体の記録速度が著しく低下すること（全体の記録時間を長くすること）を抑制することができるという効果がある。
【００２９】
縁無し記録では、記録媒体の搬送方向上流側の縁（後端縁）を含む所定域や、主走査方向の縁部に対しても、インクは吐出され、かかるインクによってもインクミストが発生する。しかし、記録媒体の後端は、インクミストの発生している空間から離れる方向（下流方向）に搬送されるので、かかるインクミストが記録媒体の汚染に及ぼす影響は小さい。また、主走査方向の縁部に対しては、インクを吐出する範囲を記録媒体の縁部から僅かに外側に設定されていることも多く、発生するインクミスト量が少ない。更に、記録媒体は主走査方向には搬送されないので、インクミストが浮遊している主走査方向の縁部の側へ記録媒体が送り出されることはない。故に、記録媒体の主走査方向の縁部近傍でインクミストが発生しても記録媒体の汚染へ及ぼす影響は小さい。従って、制御手段を、先端縁を含む領域に対する記録動作である場合に、移動手段の所定時間の待機を実行するものとすることにより、記録媒体への汚染を抑制できる上、汚染の抑制に効果の小さい無駄な移動手段の待機を削減し得、全体の記録速度の低下を抑制することができる。
【００３０】
請求項３記載の画像形成装置によれば、請求項１または２に記載の画像形成装置の奏する効果に加え、制御手段は、記録ヘッドによる記録を実行せずに移動手段が１方向の移動を終了した場合には、移動手段の所定時間の待機を非実行として、移動手段を他方向へ移動させる。インクミストは、インクを吐出する記録動作が実行されることにより発生するので、記録動作が非実行である場合にはインクミストは発生しない。よって、記録ヘッドが記録動作を実行しない状態で移動手段が移動を終了した場合には、待機を不実行とすることにより、記録媒体への汚染を抑制しつつ、無駄な待機を回避して全体の記録時間を短縮し、効率的に記録を実行することができるという効果がある。
【００３１】
請求項４記載の画像形成装置によれば、請求項１から３のいずれかに記載の画像形成装置において、移動手段を待機させる時間に対応する情報は、時間記憶手段に記憶されており、制御手段は、縁無し記録に際して、計時手段により、移動手段が１方向の移動を終了してから、時間記憶手段に記憶される情報に基づいた時間（即ち、時間記憶手段に記憶される情報が示す時間）が計時されると、移動手段を他方向へ移動させる。つまり、時間記憶手段に記憶される情報が示す時間、移動手段の待機が実行される（所定時間の待機が実行される）。よって、待機させる時間（所定時間）を正確に計時でき、該所定時間、的確に移動手段の移動開始を待機させることができるという効果がある。
【００３２】
一般に、記録に対しては、高速で高品質の実現が望まれている。このため、移動手段の移動開始の待機が、記録媒体の汚染を低減する有効な手段であっても、待機時間が長くなると、記録全体にかかる時間が長くなり好ましくない（記録品質と記録時間とは相反する）。そこで、記録媒体の汚染に対する効果と記録時間との両者のバランスを考慮して、移動手段を待機させる時間（所定時間）は設定される。ところが、その設定された時間（所定時間）で待機が履行されないと、設計されたバランスが崩れてしまい、所望の記録品質や記録時間を達成できない。しかし、本装置においては、移動手段を待機させる時間（設定された時間、所定時間）を正確に計時でき、また、該所定時間の終了を契機として、移動手段の移動を開始させることができるので、設計時に所望された記録品質や記録時間を的確に実現することができるという効果がある。
【００３３】
請求項５記載の画像形成装置によれば、請求項４記載の画像形成装置の奏する効果に加え、時間入力手段に対する操作者の入力操作により、移動手段を待機させる時間に対応する情報が入力され、入力された情報は時間記憶手段に記憶される。制御手段は、縁無し記録に際して、計時手段により、移動手段が１方向の移動を終了してから、時間記憶手段に記憶される情報に基づいた時間が計時されると、移動手段を他方向へ移動させる。故に、操作者により入力された情報（移動手段を待機させる時間に対応する情報）に基づいて、記録ヘッドを待機させることができるという効果がある。このため、操作者が取り扱う多種多様な記録物や、操作者のニーズに応じた記録品質および記録時間にて記録を実現することができ、記録品質よりも記録速度を重視したいものに、操作者の要求レベル以上の過剰品質の記録品質が無駄に提供されたり、操作者の要求する記録速度が実現されないという事態を回避できるという効果がある。
【００３４】
請求項６記載の画像形成装置によれば、請求項１から５のいずれかに記載の画像形成装置の奏する効果に加え、制御手段は、第１指示手段により所定時間の待機が指示された場合、縁無し記録に際し、移動手段を移動させて記録ヘッドによる記録媒体に対する１方向の記録が終了すると、移動手段を所定時間待機させた後、他方向へ移動手段を移動させる。一方、第１指示手段により移動手段の所定時間の待機が指示されなかった場合には、移動手段の所定時間の待機を非実行として移動手段を他方向へ移動させる。つまり、第１指示手段により、指示がなされなければ、移動手段の待機は非実行となって、１方向の記録終了後、直ちに、反対方向への移動手段の移動が開始される。ここで、第１指示手段は、操作者の入力操作に基づいて指示を行うものであるので、操作者の要求に応じて、移動手段の所定時間の待機の実行と非実行とを切り替えることができ、操作者のニーズに応じた記録を実現することができるという効果がある。また、例えば、この第１指示手段を、スイッチやボタンのオンによって指示を、オフによって非指示とを切り替える構成とすれば、操作者は、移動手段の待機の実行または非実行を選択する操作を簡単な操作で行うことができる。
【００３５】
請求項７記載の画像形成装置によれば、請求項１から６のいずれかに記載の画像形成装置の奏する効果に加え、制御手段により、記録ヘッドによる記録動作と媒体搬送手段による記録媒体の搬送とは交互に実行されると共に、移動手段の移動が待機されている間は、媒体搬送手段による記録媒体の搬送は待機される。よって、インクミストの浮遊量が多い状態での記録媒体の搬送が非実行とされ、インクミストが多量に浮遊する区間に記録媒体が供給されることを回避でき、汚染面積の拡大を抑制できるという効果がある。
【００３６】
請求項８記載の画像形成装置によれば、請求項１から７のいずれかに記載の画像形成装置の奏する効果に加え、記録情報入力手段により入力された記録情報が、縁無し指定情報を有していると判断手段により判断された場合には、縁無し記録に際し、記録ヘッドにより記録を実行しつつ移動手段を移動させ、記録媒体に対する１方向の記録が終了すると、制御手段により、移動手段は所定時間待機された後、他方向へ移動手段を移動される。一方、判断手段により縁無し指定情報を有していると判断されなかった場合には、所定時間の待機が非実行とされ、直ちに、移動手段は他方向へ移動される。よって、記録情報が有する印刷（記録）の態様の情報（縁無し記録か否か）に応じて、移動手段の待機の実行と非実行とを切り替えることができるという効果がある。
【００３７】
一般に、記録情報は、他のファクシミリ装置やパーソナルコンピュータなどの外部装置から、画像形成装置に送信され、記録情報入力手段を介して入力される。ここで、縁無し記録の指定は、記録情報の送信元においてなされ、記録情報は、縁無し指定情報を有する状態で、画像形成装置に入力される。ここで、操作者自身が作成した記録情報でなければ、記録情報が縁無し指定情報を有するか否か（記録データの縁無し記録がが望まれているか否か）を、簡単に判断することは困難である。その結果、移動手段の待機の実行および非実行の指定が、操作者が行う操作のみによってなされるものであると、入力された記録情報に適当な記録手法（縁無し記録である場合に移動手段の待機を実行、否である場合に非実行）の選択が不確実となり、得られる記録物が過剰品質となったり、或いは所望の記録品質に満たない不良品となったりするという不具合が生じる。
【００３８】
しかし、入力された記録情報が縁無し指定情報を有しているか否かの判断結果によって移動手段の待機の実行と非実行とを切り替えることにより、かかる不具合が生じることがない上、入力された記録情報に応じて、いちいち、操作者が、移動手段の待機の実行と非実行と行うという操作を不要としてその手間を軽減することができるという効果がある。
【００３９】
請求項９記載の画像形成装置によれば、請求項１から８のいずれかに記載の画像形成装置の奏する効果に加え、縁無し記録に際し、移動手段は、制御手段により、記録ヘッドにより記録を実行しつつ１方向に移動する移動手段の移動速度に比べて、遅い速度で、他方向へ移動される。よって、移動手段の移動により生じる空気の流れを小さくすることができ、移動手段の移動に伴って巻き上げられるインクミストの量を少なくして、インクミストによる記録媒体への汚染を低減することができるという効果がある。
【００４０】
請求項１０記載の画像形成装置によれば、駆動手段および媒体搬送手段は制御手段により制御され、移動手段は、駆動手段により、搬送方向に交差する主走査方向に往復駆動される。また、記録媒体は媒体搬送手段により副走査方向に搬送される。そして、移動手段に搭載された記録ヘッドから、記録媒体の縁を含む領域にインクが吐出され、記録媒体上に余白を生じさせない縁無し記録が実行される。縁無し記録に際しては、記録ヘッドにより記録を実行しつつ記録媒体に対する（主走査方向の）１方向に移動される場合よりも、遅い速度で、その１方向とは反対の他方向へ移動手段は移動される。よって、その遅い速度で他方向へ移動手段を移動することにより、先の１方向の記録で発生したインクミストによる記録媒体の汚染を低減することができるという効果がある。
【００４１】
通常、記録実行時の移動手段の移動速度は、制御装置（制御手段）の特性から固定された速度とされていることが多く、かかる速度は、当然、記録品質を維持するために適当な速度（比較的速い速度）で設定されている。一方で、記録ヘッドにより記録を実行しつつ記録媒体に対する（主走査方向の）１方向に移動される場合よりも、遅い速度で、他方向へ移動手段を移動することにより、移動手段の移動により生じる空気の流れを小さくすることができ、移動手段の移動に伴って巻き上げられるインクミストの量を少なくできるという効果がある。このため、記録媒体の縁を含む領域（縁の外側を含む）に吐出されたインク滴によりインクミストが発生しても、インクミストによる記録媒体への汚染を低減することができ、特に、移動手段の移動によって巻き上げられるインクミストに起因する記録媒体の裏面の汚染を効果的に抑制することができるという効果がある。
【００４２】
近年、記録画像の高画質化を行う１つの手法として、吐出するインク滴の微小化が採用されているが、吐出されるインク滴が微小であるほど発生するインクミスト量が増大する傾向にある。しかし、本装置においては、移動手段の移動によって巻き上げてしまうインクミスト量を少なくすることができるので、インクミストによる記録媒体の汚染を抑制しつつ、微小化されたインク滴による高画質の記録を実現することができるという効果がある。
【００４３】
請求項１１記載の画像形成装置によれば、請求項９または１０に記載の画像形成装置の奏する効果に加え、記録媒体の先端縁を含む領域に対する縁無し記録であると、制御手段にて、記録ヘッドにより記録を実行しつつ１方向に移動する移動手段の移動速度に比べて、遅い速度で、他方向へ移動手段は移動される。
【００４４】
よって、先端縁を含む領域に対する記録動作である場合に、移動速度を遅くして他方向に移動手段を移動させる一方、先端縁を含む領域以外での記録動作では、かかる遅い速度での移動手段の移動を非実行とすることができる。従って、記録媒体の汚染を低減しつつ、全体の記録速度が著しく低下すること（全体の記録時間を長くすること）を抑制することができるという効果がある。
【００４５】
縁無し記録では、記録媒体の搬送方向上流側の縁を含む所定域や、主走査方向の縁部に対しても、インクは吐出され、かかるインクによってもインクミストが発生する。しかし、記録媒体の後端は、インクミストの発生している空間から離れる方向（下流方向）に搬送されるので、かかるインクミストが記録媒体の汚染に及ぼす影響は小さい。また、主走査方向の縁部に対しては、インクを吐出する範囲を記録媒体の縁部から僅かに外側に設定されていることも多く、発生するインクミスト量が少ない。更に、記録媒体は主走査方向には搬送されないので、主走査方向の縁部の側へ記録媒体が送り出されることはない。故に、記録媒体の主走査方向の縁部近傍でインクミストが発生しても記録媒体への汚染に及ぼす影響は小さい。従って、制御手段を、先端縁を含む領域に対する記録動作である場合に、移動速度を遅くして他方向に移動手段を移動させるものとすることにより、記録媒体への汚染を抑制できる上、汚染の抑制に効果の小さい無駄な移動手段の減速を省くことができ、全体の記録速度の低下を抑制することができる。
【００４６】
請求項１２の画像形成装置によれば、請求項９から１１のいずれかに記載の画像形成装置の奏する効果に加え、移動手段を１方向に移動させる場合と他方向へ移動させる場合との両方において記録ヘッドによる記録を実行する場合には、制御手段により、移動手段を１方向に移動する移動速度と他方向に移動する移動速度とが略同一とされる。
【００４７】
移動手段を１方向に移動させる場合と他方向へ移動させる場合との両方において記録ヘッドによる記録を実行する場合（双方向記録）では、移動手段を１方向に移動する移動速度と他方向に移動する移動速度とを略同一とするので、かかる双方向記録による高速の記録を実行することができるという効果がある。双方向記録を行う場合、移動手段の移動速度が両方向で異なると記録の制御が困難となってしまう。しかし、移動手段の移動速度は両方向で略同一とされるので、双方向記録を支障なく実現することができる。
【００４８】
請求項１３記載の画像形成装置によれば、請求項９から１２のいずれかに記載の画像形成装置の奏する効果に加え、速度入力手段に対する操作者の入力操作により、速度に対応する情報が入力され、入力された速度に対応する情報は速度記憶手段に記憶される。縁無し記録に際し、記録ヘッドにより記録を実行しつつ１方向に移動手段を移動させた後、他方向へ移動手段を移動する移動速度は、制御手段により、速度記憶手段に記憶される情報に基づいて変更される。よって、操作者により入力された情報（速度に対応する情報）に基づいて、記録ヘッドが他方向に移動する速度を設定（調節）することができるという効果がある。このため、操作者が取り扱う多種多様な記録物や、操作者のニーズに応じた記録品質および記録時間にて記録を実現することができ、記録品質よりも記録速度を重視したいものに、操作者の要求レベル以上の過剰品質の記録品質が無駄に提供されたり、操作者の要求する記録速度が実現されないという事態を回避できる。
【００４９】
請求項１４記載の画像形成装置によれば、請求項９から１３のいずれかに記載の画像形成装置の奏する効果に加え、第２指示手段により遅い速度での移動手段の移動が指示された場合、縁無し記録に際し、制御手段によって、記録ヘッドにより記録を実行しつつ１方向に移動する移動手段の移動速度に比べて、遅い速度で、他方向へ移動手段は移動され、一方、第２指示手段により遅い速度での移動手段の移動が指示されなかった場合には、移動手段が１方向に移動する移動速度と他方向に移動する移動速度とは略同一とされる。
【００５０】
つまり、第２指示手段により、指示がなされなければ、移動手段の遅い速度での移動は非実行となって、両方向で同じ速度で移動手段は移動される。ここで、第２指示手段は、操作者の入力操作に基づいて指示を行うものであるので、操作者の要求に応じて、移動手段の移動速度を遅い速度へ変更する指定とその指定解除とを切り替えることができ、操作者のニーズに応じた記録を実現することができるという効果がある。また、例えば、この第２指示手段を、スイッチやボタンのオンによって指示を、オフによって非指示とを切り替える構成とすれば、操作者は、（他方向に移動する）移動手段の移動速度を遅い速度とする指定およびその指定解除とを、簡単な操作で行うことができる。
【００５１】
請求項１５記載の画像形成装置によれば、請求項９から１４のいずれかに記載の画像形成装置の奏する効果に加え、記録情報入力手段により入力された記録情報が、縁無し指定情報を有していると判断手段により判断された場合には、縁無し記録に際し、記録ヘッドにより記録を実行しつつ１方向に移動する移動手段の移動速度に比べて、遅い速度で、他方向へ移動手段は移動される。一方、判断手段により縁無し指定情報を有していると判断されなかった場合には、移動手段を１方向に移動する移動速度と他方向に移動する移動速度とは略同一とされる。よって、記録情報が有する印刷（記録）の態様の情報（縁無し記録か否か）に応じて、移動手段の移動速度を遅い速度に変更することの実行と非実行とを切り替えることができるという効果がある。
【００５２】
一般に、記録情報は、他のファクシミリ装置やパーソナルコンピュータなどの外部装置から、画像形成装置に送信され、記録情報入力手段を介して入力される。ここで、縁無し記録の指定は、記録情報の送信元においてなされ、記録情報は、縁無し指定情報を有する状態で、画像形成装置に入力される。ここで、操作者自身が作成した記録情報でなければ、記録情報が縁無し指定情報を有しているか否か（記録データに縁無し記録が望まれているか否か）を、簡単に判断することは困難である。その結果、（他方向に移動する）移動手段の移動速度を遅い速度とする指定と指定解除とが、操作者が行う操作のみによってなされるものであると、入力された記録情報に適当な記録手法の選択（縁無し記録である場合に移動手段の移動速度を遅い速度とし、否である場合には速度変更を行わない）が不確実となり、得られる記録物が過剰品質となったり、或いは所望の記録品質に満たない不良品となったりするという不具合が生じる。
【００５３】
しかし、入力された記録情報が縁無し指定情報を有しているか否かの判断結果によって、移動手段の移動速度を遅い速度に変更することの実行と非実行とを切り替えることにより、かかる不具合が生じることがない上、入力された記録情報に応じて、いちいち、操作者が、移動手段の待機の実行と非実行と行うという操作を不要としてその手間を軽減することができるという効果がある。
【発明を実施するための最良の形態】
【００５４】
本発明の最適な実施形態について図面を参照して説明する。図１は本実施形態に適用された複合機の前方から見た斜視図、図２は本実施形態に適用された複合機のプリンタ構造部の断面図である。
【００５５】
本発明の実施形態の画像形成装置１は、プリンタ機能、コピー機能、スキャナ機能、ファクシミリ機能を備えた多機能装置（ＭＦＤ：Multi Function Device ）であるが、本発明は単なるプリンタ機能を有するインクジェットプリンタ装置に適用しても良い。なお、本実施形態では、記録媒体として、紙またはプラスチックフィルム等の記録用紙Ｐを用いたが、これに限定されず、種々のシート状の記録媒体を用いることができる。
【００５６】
また、本発明に係る画像形成装置１は、記録用紙の周縁に余白（縁）を有する縁有り画像記録のみならず、記録用紙Ｐの先端縁から後端縁まで画像記録（縁無し画像記録）を行うことができるようになっている。
【００５７】
図１に示すように、画像形成装置１における合成樹脂製の記録装置本体としてのハウジング２の前側（図１において手前側）の開口部２ａの内部は上下に仕切られており、開口部２ａの下側は記録媒体（記録用紙Ｐ）を給紙するための差込み可能な給紙カセット３が配置されている。開口部２ａの上部側は記録済みの記録用紙Ｐが排紙される排紙部１０となっており、記録済みの記録用紙Ｐは、矢印Ａ方向に排出される。
【００５８】
本実施形態では、給紙カセット３は、記録媒体（記録用紙）としての例えばＡ４サイズ、レターサイズ、はがきサイズ等にカットされた記録用紙Ｐをその短辺を主走査方向（Ｙ軸方向、Ｘ軸方向（用紙搬送方向）と直交する方向）に沿って、複数枚堆積して収納できる形態とする（図１参照）。なお、リーガルサイズ等の長い記録用紙Ｐ（給紙カセット３に収納できない長さの記録用紙Ｐ）を用いて記録を行う場合には、給紙カセット３の上面からかかる記録用紙Ｐを装置内部に挿入して記録を実行する。給紙カセット３の前端には、リーガルサイズ等の長い記録用紙Ｐの後端部を支持する補助支持部材３ａがＸ軸方向に移動可能に装着されており、長い記録用紙Ｐを装置内部に挿入する際には、この補助支持部材３ａをハウジング２の前側に引き出すことにより、給紙カセット３上からはみ出した記録用紙の後端部を支持することができる。給紙カセット３内に納まってしまう（開口部２ａからハウジング２の外部へ突出しない）Ａ４サイズ等の記録用紙Ｐを用いる場合には、給紙カセット３の前部に対して補助支持部材３ａを給紙の妨げとならないように収納することができる。
【００５９】
ハウジング２の上部には、コピー機能やファクシミリ機能における原稿読取などのための画像読取装置が配置されている。この画像読取装置は図示しない枢軸部を介してハウジング２の一側端に対して上下開閉回動可能に構成され、さらに、画像読取装置の上面を覆う原稿カバー体１３の後端は画像読取装置の後端に対して枢軸を中心に上下回動可能に装着されている。
【００６０】
原稿カバー体１３を上側に開けて載置用ガラス板上に原稿を載置し、載置用ガラス板の下側にて主走査方向（Ｙ軸方向）に往復移動可能に設けられている原稿読取り用のスキャナ（例えばＣＩＳ：Contact Image Sensor）７０ （図５参照）にて原稿紙面の画像を読取るように構成されている。
【００６１】
ハウジング２の上側には、原稿カバー体１３の前方に各種操作ボタンを備えた操作パネル部１４と、操作手順や実行中の処理の状態を表示するための液晶表示装置（以下「ＬＣＤ」と称す）１５とが設けられている。また、ハウジング２の前面であって、操作パネル部１４の下方には、外部メモリを挿入するための外部メモリ挿入部１１が備えられている。外部メモリとは、例えば、コンパクトフラッシュ（登録商標）、スマートメディア（登録商標）、メモリスティック（登録商標）、ＳＤカード（登録商標）、ｘＤ（登録商標）等である。
【００６２】
図２に示すように、画像形成装置１の内部には、記録用紙Ｐに対する記録を行うプリンタ部７１が設けられている。このプリンタ部７１の下方において、給紙カセット３の奥側（図２において右側）には、用紙分離用の土手部８が配置されている。また、土手部８よりもハウジング２の前面方向側（記録用紙Ｐの搬送方向（給送方向）上流側）には、上端部が上下方向に回動可能なアーム６ａが装着されている。このアーム６ａの下端に設けられた給紙ローラ６は、給紙カセット３に収納された記録用紙Ｐの最上部のものに当接している。
【００６３】
給紙ローラ６が紙送り方向（図２において反時計回り）に駆動されると、土手部（傾斜分離板）８により、給紙カセット３に堆積された記録媒体である記録用紙Ｐが一枚ずつ分離されて搬送される。分離された記録用紙Ｐは上横向きのＵターンパス（給送路）９を介して給紙カセット３より後方の上側（高い位置）に設けられたレジストローラ対２７まで給送される。
【００６４】
また、プリンタ部７１は、記録用紙Ｐに対し記録を行うインクジェット式の記録ヘッド４、記録ヘッド４が搭載され主走査方向に往復動可能なキャリッジ５、キャリッジ５を往復移動させるために用紙搬送方向（矢印Ａ方向）の下流側に配置されたガイド部材の上面にそれと平行状に配置されたタイミングベルト、そのタイミングベルトを駆動してキャリッジを駆動するＣＲ（キャリッジ）モータ２５（実施形態ではＤＣモータであるが、ステッピングモータ等他のモータでもよい。（図５参照））、記録ヘッド４の下面側にて搬送される記録用紙Ｐを支持する概略扁平板状のプラテン２６、主走査方向（Ｙ軸方向）に沿って延びるように配置されてキャリッジ５のＹ軸方向（主走査方向）位置を検知するためのエンコーダストリップ等を備えている。この帯状のエンコーダストリップは検査面（Ｙ軸方向に一定間隔で配置されたスリットの形成面）が垂直方向に沿うように配置されている。また、エンコーダストリップのＹ軸方向の１端部の外方側の所定位置は、キャリッジ５の原点（ホームポジション）となっており、かかるホームポジションにキャリッジ５がセットされているか否かを検出するキャリッジホームポジションセンサ７３が配設されている（図５参照）。
【００６５】
また、プリンタ部７１には、給紙ローラによって給送された記録用紙Ｐを記録ヘッド４の下面に搬送するレジストローラ対２７が配置されている。このレジストローラ対２７が紙送り方向（上側のローラが時計回り、下側のローラが反時計回り）に回転することにより、レジストローラ対２７よりも搬送方向下流側に設けられた記録ヘッド４の下面即ちプラテン２６上へと、記録用紙Ｐが搬送される。レジストローラ対２７は、上下一対のローラであって、上側のローラが搬送モータ７９（図５参照）にて駆動する駆動ローラとなっており、下側のローラは上側のローラの回転に従動して駆動する従動ローラとなっている。尚、駆動ローラと従動ローラとは逆であっても良く、両方のローラが駆動ローラであっても良い。また、レジストローラ対２７は、正逆回転可能に構成されており、給紙ローラ６による記録用紙Ｐの給送期間中は、反紙送り方向に回転（逆回転）される。これにより、記録ヘッド４の側に送り出す記録用紙Ｐの先端縁を、主走査方向（Ｙ軸方向）に沿って揃えることができる。
【００６６】
レジストローラ対２７近傍であって、搬送方向上流側の上方位置には、給紙ローラ６によって給送された記録用紙Ｐを検出するペーパセンサ７２が設けられている。ペーパセンサ７２は、発光ダイオードとフォトトランジスタとを備えた一般的な反射型の光センサで構成されている。給紙ローラ６による記録用紙Ｐの給送期間中に、このペーパセンサ７２に記録用紙Ｐが検出されなかった場合には、給紙ローラ６やレジストローラ対２７などの駆動系は停止され、エラーが表示される。
【００６７】
更に、プラテン２６の下流側には、記録用紙Ｐの上面に接する拍車ローラ２８ａと、拍車ローラ２８ａの下面側に設けられ搬送モータ７９にて駆動される排紙ローラ２８ｂとが配置されている。拍車ローラ２８ａは、排紙ローラ２８ｂに従動して回転する従動ローラとなっており、また、両ローラ２８ａ，２８ｂ共、正逆回転（紙送り方向および反紙送り方向）に回転可能に形成されている。本実施の形態においては、レジストローラ対２７、拍車ローラ２８ａ、排紙ローラ２８ｂとを断続的に紙送り方向に駆動することにより、間欠的に記録用紙Ｐを搬送する。尚、拍車ローラ２８ａの紙送り方向は図２において時計回り、排紙ローラ２８ｂの紙送り方向は図２において反時計回りである。記録済みの記録用紙Ｐは、排紙ローラ２８ｂの紙送り方向への駆動により矢印Ａ方向に送り出され、排紙部１０に搬送される。
【００６８】
また、プリンタ部７１には、図示を省略しているが、フルカラー記録のための４色（ブラック（ＢＫ）、シアン（Ｃ）、マゼンタ（Ｍ）、イエロー（Ｙ））のインクを各々収容したインクカートリッジや、各インクカートリッジから記録ヘッド４にインクを供給する複数本のインク供給管、記録動作中に定期的にノズルの目詰まり防止のためのインク吐出（フラッシング）を行うためのフラッシング部、記録ヘッド４のノズル面のクリーニングや、記録ヘッド４上の図示しないバッファタンク内の気泡を除去するための回復処理等を行うメンテナンスユニット等が設けられている。
【００６９】
図３は、図２の要部側断面図であり、記録ヘッド４近傍部分の構成を示した図である。記録ヘッド４のノズル面（下面）には、複数のノズルからなるノズル列がＸ軸方向に沿って延び、インク色毎のノズル列がＹ軸方向に適宜間隔で形成されている。実施形態では、インク色は４色であるので、ノズル列は４列であり、各ノズル列でのノズルの配置間隔は、実施形態では７５ｄｐｉである。本実施形態では、記録ヘッド４のノズル面のＸ軸方向の長さを略１インチとし、Ｘ軸方向に７５個のノズル（図示せず）を形成している。
【００７０】
また、本実施の形態では、プリンタ部７１によって、縁有り画像記録と、縁無し画像記録との両方を実行できるように構成している。縁有り画像記録の場合には、全ノズルを使用して画像記録を行う。このため、Ｘ軸方向に１〜７５番目のノズルに対向し、かかるノズルから吐出されるインクによって記録がなされる領域（インク吐出領域）が、縁有り画像の画像記録領域（縁有り画像記録領域Ｇ１）となる。縁無し画像記録の場合には、７番目のノズルから２８番目のノズルまでを使用して画像記録を行う。このため、Ｘ軸方向に７〜２８番目のノズル（距離７．７９ｍｍ）に対向し、かかるノズルから吐出されるインクによって記録がなされる領域が、縁無し画像の画像記録領域（縁無し記録領域Ｇ２）となる。搬送方向の下流側端のノズル（１番目のノズル）から６番目のノズルに対向する領域は、余裕領域Ｇ３（距離１．３６ｍｍ）としている。
【００７１】
次に、記録ヘッド４に対向するプラテン２６の詳細な構成について説明する。本実施形態におけるプラテン２６は、平面視略矩形の箱型の合成樹脂成型品であって、このプラテン２６には、記録用紙Ｐの搬送方向上流側に配置されて記録用紙Ｐの裏面と対向する平板状の棚板４０と、この棚板４０上にＸ軸方向に沿って長く、Ｙ軸方向に適宜間隔にて配置される複数本の上流側リブ４１とを有する。Ｙ軸方向に長い棚板４０の搬送方向の上流側には、上向き開放された断面コ字状の凹板４２が連接されている。他方、棚板４０の下流側端部には、当該棚板４０から適宜寸法だけ低い段落ち棚板４３が連接される。
【００７２】
この段落ち棚板４３は、縁無し記録領域Ｇ２に対応する部分であって、搬送方向下流側に向かって下向き傾斜している。また、段落ち棚板４３に続いて下向き壁４４が下方に延びており、その下向き壁４４の下端を一端としてさらに搬送方向下流側にほぼ水平に延び、下流側端部で上向きに延びる凸部を備えた底板４５が設けられている。棚板４０、凹板４２、段落ち棚板４３、下向き壁４４、底板４５は、一体的に形成され、これらはプラテン２６のＹ軸方向の端部に設けられた一対の側枠に連接されている。
【００７３】
また、プラテン２６には、その搬送方向下流側であって、記録ヘッド４のＸ軸方向の１番目のノズルに対向する位置よりも下流側に、即ち、縁有り画像記録領域Ｇ１から外れた箇所に、Ｙ軸方向に長く連続状の下流側リブ４６が配置される。この下流側リブ４６の長手方向の両端部は、プラテン２６の一対の側枠に着脱可能に取付けられ、下流側リブ４６と底板４５との間に適宜の高さの空間４８が形成されている。
【００７４】
下流側リブ４６は、その断面形状が図３に示すごとく、下向き壁４４に対向する立ち上げ壁４６ａと、立ち上げ壁４６ａの上端で搬送方向下流側に向かって上向き傾斜面とそれに続く下向き傾斜面とからなる側面視三角突条部４６ｂと、三角突条部４６ｂから搬送方向下流側に向かって延びて前記空間４８を覆う低板部４６ｃとからなる。下流側リブ４６と底板４５との間の空間４８には、余剰インクを吸収するインク吸収体５３が収納されている。
【００７５】
インク吸収体５３は、発泡ポリウレタン等の多孔質材料からなり、底板４５上のほぼ全面に覆設されている。インク吸収体５３の高さ寸法は下流側リブ４６の下面に接触しない程度に設定されている。インク吸収体５３の上面は、下流側リブ４６によって覆われているので、インク吸収体５３が記録用紙Ｐに接触することはなく、インク吸収体５３によって記録用紙Ｐの裏面が汚染されることはない。なお、他の実施形態として、下流側リブ４６をＹ軸方向に複数個に区切った複数の部材（パーツ）にて連続状に配置する構成でも良い。
【００７６】
上流側リブ４１の終端から下流側リブ４６の始端までの間には、記録用紙Ｐの先端部及び後端部をそれぞれ支持可能とする複数種類の領域内リブが用紙搬送方向（Ｘ軸方向）に沿って延びるように設けられている。領域内リブである第１リブ４９は、段落ち棚板４３の上面に突出形成され、且つ搬送方向下流側に向かって上昇するように傾斜形成される。また、第１リブ４９は各上流側リブ４１が搬送方向に延びる軸線と同一軸線上に配置されている。第１リブ４９の始端は棚板４０と段落ち棚板４３との連接部分から始まり、第１リブ４９の終端は下向き壁４４の下端で終わる。第１リブ４９の最上点（角部）４９ａは、上流側リブ４１の上端面及び下流側リブ４６の三角突条部４６ｂの上端面を結ぶ平坦面（記録用紙Ｐが上流側リブ４１と下流側リブ４６とに跨がった状態で通過する面）より、若干（実施形態では０．７ｍｍ）低い位置にある。
【００７７】
また、図示を省略しているが、Ｙ軸方向において隣接する第１リブ４９の配置位置の中間には、領域内リブであって、上端面が段落ち棚板４３の上面にて水平となるよう突出形成された第２リブが配置されている。Ｙ軸方向において第１リブ４９と第２リブが配置されている箇所の間に一定間隔に領域内リブである第３リブ５１が配置されている。第３リブ５１の始端は棚板４０と段落ち棚板４３との連接部分から始まり、第３リブ５１の終端は下向き壁４４の下端を越えて、底板４５の中途部で終わる。段落ち棚板４３の上面箇所での第３リブ５１の上端面は搬送方向下流側に向かって下降するように傾斜形成されている。第３リブ５１の上端面の高さ位置は第１リブ４９及び第２リブよりも低い。
【００７８】
そして、第１リブ４９、第２リブ、第３リブ５１がＹ軸方向に沿って配設されることにより、各リブの間には、搬送方向に沿い下流側に延びる断面Ｖ字状等の上向き開放状の溝５２が形成されている。従って、これらの溝５２の始端は棚板４０と段落ち棚板４３との連接部分から始まり、溝５２の終端は下向き壁４４の下端を越えて、第３リブ５１の終端とほぼ同じ箇所（底板４５の中途部）で終わる。
【００７９】
上記したように底板４５のほぼ全面には、インク吸収体５３が配置されているので、溝５２の終端は、インク吸収体５３の配置箇所に連通することとなる。従って、底板４５上の溝５２はインク流路としての機能し、段落ち棚板４３内（上流側リブ４１の終端から下流側リブ４６の始端までの間）に吐出されたインク滴をインク吸収体５３まで導出する。これにより、縁無し画像記録時に記録用紙Ｐの先端縁および後端縁にかからずに、記録用紙Ｐの外に吐出された余剰インクは、インク吸収体に吸収されることとなる。
【００８０】
尚、上流側リブ４１の終端と段落ち棚板４３始端との連接部から、第１リブ４９の最上点（角部）４９ａが、記録ヘッド４のＸ軸方向の７〜２８番目のノズル（距離７．７９ｍｍ）に対向し、かかるノズルから吐出されるインクによって記録がなされる縁無し記録領域Ｇ２となっている。
【００８１】
上流側リブ４１の搬送方向中途部から、下流側リブ４６における立ち上がり壁４６ａと下向き壁４４との間の隙間部分までが、記録ヘッド４のＸ軸方向の１〜７５番目のノズルに対向し、かかるノズルから吐出されるインクによって記録がなされる縁有り画像記録領域Ｇ１となっている。
【００８２】
従って、縁有り画像記録領域Ｇ１の終端と縁無し記録領域Ｇ２の終端と間には若干の余裕領域Ｇ３が形成され、この余裕領域Ｇ３の存在により、縁無し画像記録時に、下流側リブ４６にインクが直接噴射されることがない。
【００８３】
次に、プリンタ部７１における記録動作について説明する。縁有り画像記録が実行される場合は、矢印Ａ方向に断続的に搬送される記録用紙Ｐに対して縁有り画像記録領域Ｇ１に対応する７５個のノズルからインクを吐出させて、所定の画像記録が実行される。縁有り画像記録モードでは、記録用紙Ｐの先後端縁及び左右端縁から所定寸法（例えば３ｍｍ〜５ｍｍ）は、余白を形成すべくインク吐出が行われず、余白部分となる。従って、例えば、縁有り画像記録における記録開始では、記録用紙Ｐは、上流側リブ４１に支持された状態で、且つ当該記録用紙Ｐの先端縁が、縁有り画像記録領域Ｇ１の下流側の終端から搬送方向下流側に、前記余白部分の寸法に相当する距離だけ搬送されてから画像記録のためのインク吐出が開始される。他方、記録終了では、記録用紙Ｐの後端側が下流側リブ４６おける最上点（立ち上げ壁４６ａ）で支持された状態で、且つ当該記録用紙Ｐの後端縁が、画像記録領域Ｇ１の上流側の終端から搬送方向上流側に前記余白部分の寸法に相当する距離だけ残した位置でインク吐出が終了する。
【００８４】
また、記録用紙Ｐの先端縁が垂れ下がった箇所をＹ軸方向に隣接する第１リブ４９の斜面に接触させることにより、先端縁はインクが付着するものの記録用紙Ｐの裏面全体がインクで汚れることがない。
【００８５】
そして、上面に画像記録のインクが載った記録用紙Ｐの搬送方向下流側部位は下流側リブ４６における三角突条部４６ｂに支持されながら搬送方向下流側の拍車ローラ２８ａと排紙ローラ２８ｂとの間に送られ、排紙部１０へと排紙される。そのとき、記録用紙Ｐが上方向に反る（プラテン２６から浮き上がる）ことを、下流側リブ４６の上方に配置された拍車ローラ５６で抑止しているので、記録用紙Ｐの上面とノズル面とのギャップが保持できる。このギャップは実施形態では１．７６ｍｍ程度であり、このギャップが大き過ぎると、ノズルから吐出されたインク滴が空気中に霧散されて良好な画質が得られない。反対にギャップが小さ過ぎると、ノズル面に記録用紙Ｐの上面が摺接して記録用紙Ｐを汚すこととなる。また、棚板４０の上面から記録ヘッド４のノズル面までの隙間（ギャップ）寸法は、実施形態で２．４１ｍｍ程度とする。このギャップが大き過ぎる場合には、記録ヘッド４のノズルから吐出されたインクが記録用紙Ｐに着弾しなかったときには、特にそのインク滴が小粒であると、当該インク滴が空気中に霧散されてミストになり易いので、前述のように平板から記録ヘッドのノズル面までの隙間（ギャップ）をインクミスト未発生に必要な高さ寸法に制限（抑制）したものである。
【００８６】
縁無し画像記録モードでは、縁無し記録領域Ｇ２内の２３個のノズルからインクを吐出させて、イメージメモリ６５（図５参照）に記憶されるビットデータに基づいた縁無し画像記録を行う。その場合も以下のようにな理由により、記録用紙Ｐの裏面がインクで汚れることがない。
【００８７】
即ち、搬送方向上流側から給送されて上流側リブ４１に支持される記録用紙Ｐの先端縁が縁無し記録領域Ｇ２，つまり段落ち棚板４３の箇所に進入すると、記録ヘッド４の搬送方向上流側のノズルからインク吐出が開始される。縁無し画像記録を完全に行うには、記録用紙Ｐの先端縁よりも適宜搬送方向下流側の箇所に対応するノズルからもインク吐出されるので、当該記録用紙Ｐの先端縁に着弾せず打ち捨てられるインクは、領域内リブ（第１リブ４９、第２リブ及び第３リブ５１）の上端面や溝５２に付着することになる。しかしながら、これら領域内リブ（第１リブ４９、第２リブ５０及び第３リブ５１）の上端面の高さ位置は、上流側リブ４１の上端面より低い位置にあるから、記録用紙Ｐの先端部の裏面は前記領域内リブの上端面に通常接触することがない。
【００８８】
記録用紙Ｐの断続的給送（搬送）が続いて、その先端縁が第１リブ４９における最上点（角部）４９ａで支持された状態では、当該先端縁に対するインク吐出は完了しており、それより上流側の部位の記録用紙Ｐに対する画像記録がなされるから、領域内リブ（第１リブ４９、第２リブ５０及び第３リブ５１）へのインクの付着は起こらない。記録用紙Ｐへの大部分の画像記録され、当該記録用紙Ｐの後部が下流側リブ４６の三角突条部４６ａにて支持され、当該記録用紙Ｐの後端縁が第１リブ４９の最上点（角部）４９ａで支持された状態で、当該後端縁に対する縁無し画像記録が実行される。このときも、縁無し画像記録を完全に行うには、記録用紙Ｐの後端縁よりも適宜搬送方向上流側の箇所に対応するノズルからもインク吐出されるので、当該記録用紙Ｐの後端縁に降りかからない余分のインクは、領域内リブ（第１リブ４９、第２リブ及び第３リブ５１）の上端面や溝５２に付着することになる。この場合も、第２リブ５０及び第３リブ５１の上端面の高さ位置は、第１リブ４９の最上点（角部）４９ａより低い位置にあるので、これらのリブの上端面と接触しない記録用紙Ｐの裏面全体がインクで汚されることがない。
【００８９】
なお、領域内リブや溝５２に付着したインクはその溝５２を通して下向き壁４４及び底板４５上を流れ落ちてインク吸収体５３に吸収捕獲される。本発明における領域内リブは、少なくとも第１リブ４９を有すれば良く、また、溝５２は縁無し画像記録領域Ｇ２の外に配置されるインク吸収体５３にインクを導くことができるものであれば良い。
【００９０】
そして、インク吸収体５３をプラテン２６における縁有り画像記録領域Ｇ１の下方や縁無し画像記録領域Ｇ２の下方のような画像記録領域内に配置するときには、インク吸収体５３上面が、通過する記録用紙Ｐと接触しない位置にセットする作業や当該インク吸収体５３の形成寸法誤差の管理が面倒になるが、プラテンのうち画像記録領域外の箇所にインク吸収体５３の収容箇所を形成することで、インク吸収体５３の取付け作業が簡単になると共に形成寸法誤差が大きくても良いので管理が容易になる。また、インク吸収体５３の形状を大きくすることが容易にできるので、インク吸収体５３の交換間隔も長くでき、メンテナンスが容易となる。また、他の実施形態として、プラテン２６から外れた箇所にインク吸収体の収容部を設け、プラテン２６からインク吸収体に繋がる別途のインク流路を設けるようにしても良い。
【００９１】
次に、画像形成装置１の電気的構成について、図５のブロック図に基づいて説明する。
図５は、画像形成装置１の電気的構成を示したブロック図である。画像形成装置１には、ＣＰＵ６１、ＲＯＭ６２、ＲＡＭ６３、ＥＥＰＲＯＭ６４、イメージメモリ６５、時計回路６６、ネットワーク・コントロール・ユニット（以下「ＮＣＵ」と称す）６７、モデム６８、ＣＯＤＥＣ６９、スキャナ７０、プリンタ部７１、インターフェース（Ｉ／Ｆ）８１、操作パネル１４、ＬＣＤ１５が設けられており、これらはバスラインなどを介して
互いに接続されている。また、画像形成装置１には、この他、音声ＬＳＩ、バッファ、アンプなど、プリンタ機能、コピー機能、スキャナ機能、ファクシミリ機能の各機能を発現するために必要な各種の装置が設けられている。
【００９２】
ＮＣＵ６７は回線制御を行うためのものであり、画像形成装置１はこのＮＣＵ６７を介して電話回線（一般公衆回線）９０に接続されている。ＮＣＵ６７は、一般公衆回線上の交換機から送られる呼出信号や相手側装置（発信者）の電話番号（発信者番号）を示す信号などの各種信号を受信するとともに、操作パネル１４上のボタンの操作に応じた発信時のダイヤル信号を交換機へ送信したり、更には通話時におけるアナログ音声信号の送受信を行うものである。ＮＣＵ６７は、データ受信時には、電話回線９０からの発呼に対して自動的に着信し、データ送出時には相手先に対して自動的に発呼するものである。相手先の番号を表すデジタルデータは、ＣＰＵ６１からＮＣＵ６７に供給される。
【００９３】
演算装置であるＣＰＵ６１は、ＮＣＵ６７を介して送受信される各種信号に従って、バスライン等により接続された各部を制御し、ファクシミリ動作や電話動作のデータ通信を実行するとともに、電話回線９０を介して送信されたファクシミリデータ（画情報を含むデータ）や、インターフェース８１を介して接続されるパーソナルコンピュータや外部メモリから入力される印刷データの印刷（記録用紙Ｐへの記録）を実行するものである。
【００９４】
このＣＰＵ６１は、ＲＯＭ６２に予め記憶されている制御プログラムに従い、インク滴の吐出やカートリッジ内のインクの残量やインクの有無の検出等の制御を実行する。また、吐出タイミング信号およびリセット信号を生成し、各信号を非図示のゲートアレイへ転送する。また、ＣＰＵ６１には、画像形成装置１内に設けられた各デバイスが接続されており、各デバイスの動作はＣＰＵ６１により制御されている。
【００９５】
ＲＯＭ６２は、この画像形成装置１で実行される制御プログラムや固定値などを格納した書換不能なメモリである。このＲＯＭ６２には、固定値として記録開始位置（副走査方向において記録を開始する位置を示すデータ）を記憶する記録開始位置テーブル６２ａが記憶されている。また、図６から図８までのフローチャートに示すプログラムは、制御プログラムの一部としてこのＲＯＭ６２内に格納されている。
【００９６】
記録開始位置テーブル６２ａは、プリンタ部７１にて記録を実行する場合の記録用紙Ｐの記録開始位置を記憶するテーブルである。記録開始位置は、記録開始時に記録用紙Ｐの先端がセットされる位置である。
【００９７】
上記したように、本実施形態では、縁有り画像記録と縁無し画像記録との両者を実行する。縁の有無によって、記録開始位置は異なっており、また、縁無し画像記録においては、初期に設定されている位置の他に、操作者の操作によって選択されるはみだし量によって異なる記録開始位置に、記録用紙Ｐの先端縁をセットすることができるようになっている。はみだし量は、記録開始位置にセットされた記録用紙Ｐの先端縁と、縁無し画像記録で使用される搬送方向最下流側のノズル（第７番目のノズル）との距離を示す情報、つまり、記録用紙Ｐの先端縁からはみ出して記録される幅である。
【００９８】
縁無し画像記録である場合、初期設定では、記録用紙Ｐに対し、その先端縁から２．５ｍｍはみ出した位置から記録が開始されるように、記録開始位置は、記録ヘッド４のＸ軸方向の第７番目のノズルから２．５ｍｍ上流側（はみだし量２．５ｍｍ）とされている。また、操作者が操作パネル１４を用いて所定の入力操作を行うことにより、記録用紙Ｐの先端縁から１，０ｍｍ、０．５ｍｍ、０ｍｍはみ出した位置（それぞれはみだし量１ｍｍ、０．５ｍｍ、０ｍｍ）のいずれかから記録を開始できるようになっており、それぞれの記録開始位置は、記録ヘッド４のＸ軸方向の第７番目のノズルから１．０ｍｍ、０．５ｍｍ、０ｍｍ搬送方向上流側とされている。また、縁有り画像記録の記録開始位置は、記録ヘッド４のＸ軸方向の第１番目のノズルよりも初期設定で５ｍｍ下流側とされている。
【００９９】
記録開始位置は、レジストローラ対２７のニップ点（両ローラにより記録用紙Ｐが挟持される位置）から各記録開始位置までの距離に相当する搬送モータ７９の回転量で示されており、縁有り画像記録の１つの記録開始位置と、縁無し画像記録の４つの記録開始位置とにそれぞれ対応する回転量が、縁の有無および先端縁からのはみだし量にそれぞれ対応つけられて、この記録開始位置テーブル６２ａに記憶されている。
【０１００】
ＲＡＭ６３は、ＲＯＭ６２内に記憶されるプログラムの実行に際して各種のデータを一時的に記憶するための揮発性のメモリであり、ＣＲ速度メモリ６３ａを備えている。ＣＲ速度メモリ６３ａは、キャリッジ５の移動速度を記憶するためのメモリであり、キャリッジ５の移動が開始される際に（その移動毎に）、その速度が書き込まれる。
【０１０１】
本実施形態の画像形成装置１では、記録動作を実行する場合のキャリッジ５の移動速度は、常に４０ｉｐｓとされており、記録動作の実行に際しては、４０ｉｐｓがこのＣＲ速度メモリ６３ａに書き込まれる。このため、ＣＲモータ２５の駆動によりキャリッジ５が往路を移動する場合も復路を移動する場合も記録ヘッド４が記録動作を行う双方向記録においては、このＣＲ速度メモリ６３ａには、毎回、４０ｉｐｓが書き込まれる。即ち、キャリッジ５は、往路と復路とで実質的に同じ速度で移動することとなる。
【０１０２】
一方で、縁無し画像記録であれば、キャリッジ５の復動時の移動速度は、４ｉｐｓ（インチ／秒）に設定される。このため、キャリッジ５の移動開始に際して、ＣＲ速度メモリ６３ａには、「４」が書き込まれる。尚、縁無し画像記録であっても、記録用紙Ｐの先端縁から１インチを越えると、即ち、記録用紙Ｐが、記録開始位置から１インチ＋はみ出し量を越えて搬送されると、キャリッジ５の移動が開始される際には（その移動毎に毎回）４０ｉｐｓがこのＣＲ速度メモリ６３ａに書き込まれ、キャリッジ５は、常に４０ｉｐｓで移動される。
【０１０３】
なお、このＲＡＭ６３の少なくとも一部の領域（受信データを記憶するバッファを含む領域）には、電源が遮断されてもデータを記憶保持できるように、バックアップ電源（図示せず）が供給されている。よって、電話回線９０を介して発呼側のファクシミリ装置などから受信したデータ等は、電源遮断後も消去されずに記憶保持される。
【０１０４】
ここで、図４を参照して、本実施形態の画像形成装置１において実行される記録の種類について説明する。図４に示すように、画像形成装置１で実行できる記録の種類には、上記したように、縁無し画像記録（「縁なし印刷」）と縁有り画像記録（「縁有り印刷」）とがあり、縁無し画像記録においては、更に、高画質モードと高速印字モードとがある。
高画質モードは、入力された印刷データ（ファクシミリデータを含む）に高画質での記録（高画質モード）が指定されている場合に対応して実行されるものである。高画質モードは、記録速度よりも画像品質を優先することが要求されているものであるので、高画質モードが指定された場合には片方向記録が実行される。片方向記録は、記録ヘッド４に記録動作を実行させつつ、ＣＲモータ２５の駆動によりキャリッジ５を往路移動させる一方、復路においては記録ヘッド４の記録動作を非実行とした状態（空打ち）で、キャリッジ５を移動（復動）させる記録手法であり、記録用紙Ｐに対する記録を往路のみの片方向で行うものである。片方向記録は、双方向記録に比べ、記録速度は遅くなるが、双方向記録に比べてドットのずれが小さいので、画像品質が向上する。
【０１０５】
片方向記録が実行される（記録方向が「片方向」）高画質モードである場合には、更に、待機時間（「待機時間」）が異なる組み合わせの４種類の記録を実行できるようになっている。待機時間は、往路の移動が終了した記録ヘッド４（キャリッジ５）が、復路の移動を開始するまでの時間であり、０秒、１秒、２秒、３秒のいずれかの値から選択される。待機時間が０秒であれば、（記録動作を実行しつつ）往路を移動した記録ヘッド４が、往路の移動を終了したこと（停止）を確認するために必要な２０ｍｍｓｅｃが経過すると、直ちに、記録ヘッド４（キャリッジ５）の復動が開始される。待機時間が１秒であれば、往路の移動を終了した後１秒が経過してから、待機時間が２秒であれば２秒経過後、待機時間が３秒であれば３秒経過後に、記録ヘッド４の復動が開始される。また、リターン速度（キャリッジ５の復動速度）には４ｉｐｓがそれぞれ設定されている。
【０１０６】
一方、高速印字モードは、記録する印刷データやファクシミリデータに高速での記録（高速印字モード）が指定されている場合に対応して実行されるものである。高速印字モードは、画像品質よりも記録速度を優先することが要求されているものであるので、高速印字モードが指定された場合には双方向記録が実行される。双方向記録は、往路においても復路においても記録を実行するので、片方向記録に比べて画像品質は劣るが記録速度は高速となる。
【０１０７】
双方向記録が実行される（記録方向が「双方向」）高速印字モードである場合には、待機時間（「待機時間」）が異なる組み合わせの４種類の記録を実行できるようになっている。設定される待機時間は、高画質モードと同様に、０秒、１秒、２秒、３秒のいずれかである。また、リターン速度には４０ｉｐｓがそれぞれ設定されている。
【０１０８】
この待機時間は、操作パネル１４において、所定の操作を実行することにより、選択（設定）できるようになっている。尚、初期値として待機時間には１秒が記憶されている。また、縁有り画像記録（「縁有り印刷」）では、記録の種類は、高速印字モードで、待機時間０、リターン速度４０ｉｐｓで設定される１種類のみとなる。
【０１０９】
図５に戻って説明する。
【０１１０】
ＥＥＰＲＯＭ６４は書換可能な不揮発性のメモリであり、ＥＥＰＲＯＭ６４へ記憶されたデータは、画像形成装置１の電源オフ後も保持される。このＥＥＰＲＯＭ６４は、はみだし量メモリ６４ａ、待機時間メモリ６４ｂ、リターン速度メモリ６４ｃを備えている。
はみだし量メモリ６４ａは、はみだし量を記憶するメモリであり、操作パネル１４において所定の操作が行われることにより、０ｍｍ、０．５ｍｍ、１ｍｍの中から選択された１つの値が記憶される。新たにはみだし量の選択が実行される毎に、このはみだし量メモリ６４ａには、新たなはみだし量が書き込まれて、先の値は更新される。尚、はみだし量メモリ６４ａには、初期値として、２．５ｍｍが記憶されている。
【０１１１】
待機時間メモリ６４ｂは、上記した待機時間を記憶するメモリであり、操作パネル１４において所定の操作が行われることにより、０秒、１秒、２秒、３秒の中から選択された１つの値が記憶される。新たに待機時間の選択が実行される毎に、この待機時間メモリ６４ｂには、新たな待機時間が書き込まれて、先の値は更新される。尚、待機時間メモリ６４ｂには、初期値として、１秒が記憶されている。
【０１１２】
尚、本実施の形態では、待機時間メモリ６４ｂには、時間が記憶される構成としたが、時間そのものが記憶されている必要はなく、０秒〜３秒のいずれかを示す情報（時間に対応する情報）が記憶されていればよい。例えば、計時がタイマなどによって実行される場合には、待機時間に相当するカウント値（タイマにセットする値）を記憶するものとしても良い。更に、時間が２種類（１秒と２秒とであるなど）の場合は、待機時間メモリ６４ｂをフラグで構成し、例えば、フラグオンによって一方の時間を、フラグオフによって他方の時間を示すことにより、間接的に時間を記憶しても良い。
【０１１３】
リターン速度メモリ６４ｃは、上記したリターン速度を記憶するメモリであり、操作パネル１４において、所定の操作が行われることにより、４ｉｐｓ、４０ｉｐｓの中から選択された１方の速度を示す値（「４」または「４０」）が記憶される。新たにリターン速度の選択が実行される毎に、このリターン速度メモリ６４ｃには、新たなリターン速度が書き込まれて先の値は更新される。尚、このリターン速度メモリ６４ｃには、初期値として４ｉｐｓが記憶されている。
【０１１４】
また、このリターン速度メモリ６４ｃに記憶される値に基づいたキャリッジ５の復動は、操作者により所定のボタンがオンされた場合のみ実行される。ＣＰＵ６１は、かかる所定のボタンがオンされている場合に限って、このリターン速度メモリ６４ｃに記憶される値を読み取り、その読み取った値をＳ２５の処理においてＣＲ速度メモリにセットする。このため、このリターン速度メモリ６４ｃに４０ｉｐｓが記憶されている場合には、（操作者により所定のボタンがオンされていることを条件に）、縁無し画像記録が片方向記録にて実行される場合であっても、記録用紙Ｐの先端部分（記録用紙Ｐの先端縁を含む領域）においてキャリッジは４０ｉｐｓで復動されることとなる。
【０１１５】
尚、リターン速度メモリ６４ｃには、速度そのものが記憶されている必要はなく、設定された速度を示す情報（速度に対応する情報）、例えば、予め設定された複数の速度の内の１の速度を指定する情報など、が記憶されていればよい。本実施の形態では、設定されるリターン速度は２種類であるので、リターン速度メモリ６４ｃをフラグで構成し、そのオンとオフとによって、設定された速度を示してもよい。
【０１１６】
かかるはみだし量メモリ６４ａおよび待機時間メモリ６４ｂと、場合に応じてはリターン速度メモリ６４ｃは、縁無し画像記録の実行時に、ＣＰＵ６１に参照され、かかるメモリ６４ａ，６４ｂ，６４ｃに記憶される各値に基づいて、制御が行われる。このため、操作者は、自己の要求を反映させた記録を実行することができる。
【０１１７】
時計回路６６は時刻の計時を行うためのものであり、所定周波数のクロックと、分周回路、分周回路から出力されるパルスの例えば立ち下がり毎に１ずつ（所定範囲内で）更新されるカウンタとを備えている。時計回路６６により計時された時刻（カウンタのカウント値）はＣＰＵ６１によって読み出され、各処理に使用される。
【０１１８】
モデム６８は、復変調装置であり、ＮＣＵ６７に接続され、電話回線９０を介して送信されたアナログデータ（符号化された画情報を含むデータなど）をデジタルデータに変換すると共に、画像形成装置１から電話回線９０に出力するデータ（符号化された画情報を含むデータなど）をデジタルデータからアナログデータに変換するものである。そのため、変調および復調機構を有し、また、送信されて来る音声アナログデータを音声に再生する音声再生機構を有する。更に、モデム６８は、伝送制御用の各種手順信号を送受信するためのものであり、また、相手側装置との間でデータを送受信する際にそのデータを一時記憶するために使用される送信バッファや受信バッファが設けられている。
【０１１９】
ＣＯＤＥＣ６９は、スキャナ７０により読み取られた画情報の符号化と、電話回線９０を介して受信される符号化された画情報を復号化するものであり、復号化されたデータ（画情報）は、プリンタ部７１により記録用紙Ｐに記録される。
【０１２０】
イメージメモリ６５は、記録のためのビットイメージ（ビットデータ）を記憶するためのメモリであり、安価な大容量メモリであるダイナミックＲＡＭ（ＤＲＡＭ）により構成されている。ＣＯＤＥＣ６５により復号化されたデータ（画情報）は、一旦イメージメモリ６５に記憶され、プリンタ部７１によって記録用紙Ｐに記録された後に、このイメージメモリ６５から消去される。また、スキャナ７０によって読み取られた画情報も、このイメージメモリ６５に記憶される。スキャナ７０によって読み取られた画情報は、ＣＯＤＥＣ６５により符号化され電話回線９０に出力された後に、このイメージメモリ６５から消去される。
【０１２１】
プリンタ部７１は、画像形成装置１内に供給される記録用紙Ｐに対し記録（印刷）を行うための装置であり、ペーパセンサ７２、キャリッジホームポジションセンサ７３、記録ヘッド４、記録ヘッド４を駆動するヘッドドライバ７５、ＣＲモータ２５、ＣＲモータ２５を駆動制御するＣＲモータドライバ７６、給紙ローラ６を駆動する給送モータ７７、給送モータ７７を駆動制御する給送モータドライバ７８、搬送モータ７９を駆動制御する搬送モータドライバ８０とを備えている。
【０１２２】
ヘッドドライバ７５は、非図示のゲートアレイから出力される信号に応じて、その信号に合った波形の駆動パルスを各ノズルに対応した駆動素子に印加する駆動回路である。この駆動パルスにより駆動素子が作動して、各ノズルからインク滴が吐出される。
【０１２３】
ＣＲモータドライバ７６、給送モータドライバ７８、搬送モータドライバ８０は、ＣＲモータ２５、給送モータ７７、搬送モータ７９にそれぞれ接続され、接続される各モータ２５，７７，７９に電圧を印加する回路である。各ドライバ７６，７８，８０は電圧を印加する時間により、ＤＣモータで構成されている各モータ２５，７７，７９の回転量を制御する。
【０１２４】
インターフェース８１は、電気的接点の規格であって、異なる装置を接続するための装置である。このインターフェース８１を介して、画像形成装置１は、他の装置であるパーソナルコンピュータやローカルエリアネットワーク（ＬＡＮ）に接続され、かかるパーソナルコンピュータやＬＡＮとの間でデータの送受信（印刷データの受信）を実行する。受信された印刷データは、画情報（ビットイメージ）に変換されてイメージメモリ６５に書き込まれる。また、外部メモリ挿入部１１は、コネクタとなっており、バスラインを介してＣＰＵ６１に接続されている。
【０１２５】
画像形成装置１では、高画質の記録を目的としてインク滴の微小化が行われており、通常時に吐出するインク量は２ピコリットルとなるように設計されている。インク滴が微小となると、ノズルから着弾面までの距離を短くしておくことが重要になる。着弾面までの距離が遠いと、インク滴が着弾面へ到達する難易度が大きくなり、その結果、インク滴が記録用紙Ｐの汚染原因となるインクミストとなってノズルと着弾面との間の空間を浮遊してしまうからである。一方、縁無し画像記録を行う場合には、記録用紙Ｐの先端縁および後端縁の外側に（記録用紙Ｐからはみ出して）までインクを吐出して、画像記録が行われる。プラテン２６上に吐出されたインク滴に記録用紙Ｐが摺接して、記録用紙Ｐの裏面が汚染されることを避けるため、プラテン２６には、上記した段落ち棚板４３が設けられており、この段落ち棚板４３の上面に形成される縁無し画像記録領域Ｇ２において画像の記録（インクの吐出）が実行される。
【０１２６】
ところが、段落ち棚板４３は、棚板４０の上面よりも記録ヘッド４のノズル面からの距離が遠くなっているため、段落ち棚板４３に吐出された（記録用紙Ｐにかからなかった）インク滴によってインクミストが発生する。このインクミストによる記録用紙Ｐ（裏面）の汚染を改善するために、本実施形態では、はみだし量、待機時間、リターン速度を変更できるように構成されている。
【０１２７】
ここで、図９を参照して、記録用紙Ｐの裏面の汚染の程度と、はみだし量、待機時間、リターン速度との関係について説明する。図９は、はみだし量、待機時間、リターン速度と記録用紙Ｐの裏面の汚染面積との関係を示した図であり、図９（ａ）は、これらの関係を示した表であり、図９（ｂ）はこれらの関係を示したグラフである。
【０１２８】
図９（ａ）に示す表の最左端には、はみだし量が「１」ｍｍ、「０．５」ｍｍ、「０．５」ｍｍが表示されており、かかるはみだし量の表示欄の右方には、該はみだし量で縁無し画像記録を実行した場合の汚染面積が、待機時間「１」〜「４」秒に応じてそれぞれ表示されている。尚、上段の２段に表示された汚染面積は、キャリッジ５のリターン速度（復動速度）を４０ｉｐｓとした場合であり、最下段に表示された汚染面積は、キャリッジ５の復動速度を４ｉｐｓとした場合である。
【０１２９】
図９（ｂ）に示すグラフは、横軸を待機時間（「ｗａｉｔ時間」）とし、縦軸を記録用紙Ｐの裏面の汚染面積（「ミストによる汚れ面積」）として作成されている。グラフ中においては、白抜きの三角形によりはみだし量１ｍｍ、リターン速度４ｉｐｓの場合の汚染面積を示し、実線にてこれらの三角形を結んで、はみだし量１ｍｍ、リターン速度４ｉｐｓにおいて、待機時間を変更した場合の汚染面積の傾向を示している。
【０１３０】
また、黒塗りの菱形によりはみだし量１ｍｍ、リターン速度４０ｉｐｓの場合の汚れ面積を示し、２点鎖線にてこれらの菱形を結んで、はみだし量１ｍｍ、リターン速度４０ｉｐｓにおいて、待機時間を変更した場合の汚染面積の傾向を示している。更に、黒塗りの四角形によりはみだし量０．５ｍｍ、リターン速度４０ｉｐｓの場合の汚れ面積を示し、１点鎖線にてこれらの四角形を結んで、はみだし量０．５ｍｍ、リターン速度４０ｉｐｓにおいて、待機時間を変更した場合の汚染面積の傾向を示している。
【０１３１】
かかる図９（ａ）、図９（ｂ）に示すように、はみだし量を小さくする（記録用紙Ｐの縁の外側に吐出されるインク量を低減する）ことにより汚染面積が小さくなる傾向が示されている。これにより、本実施形態のように、画像形成装置１に、はみだし量を小さくする設定を行う構成を設けることにより、記録用紙Ｐの裏面の汚染を効果的に抑制することができることが示されている。
【０１３２】
また、待機時間、即ち、記録動作を終了してからキャリッジ５の移動を開始するまでの時間を長くするほど汚染面積が小さくなる傾向が示されている。従来の画像形成装置においては縁無し画像記録であっても、縁有り画像記録と同様に、記録ヘッドは、記録動作の終了後、その停止が確認された後に直ちに復動されている（例えば、本実施形態に示す２０ｍｍｓｅｃ後に復動、待機時間０秒の状態）。このため、画像形成装置１に、記録後のキャリッジ５に復動を待機させる構成を設けることにより、記録用紙Ｐの裏面の汚染を効果的に抑制することができることが示されている。
【０１３３】
更に、リターン速度が遅いほうが汚染面積の低下に有効であることが示されている。従って、本実施形態のように縁無し画像記録を実行する場合に、キャリッジ５の復動時の速度（リターン速度）に遅い速度を適用する構成を設けることにより、記録用紙Ｐの裏面の汚染を効果的に抑制することができる。
【０１３４】
次に、図６〜図８を参照して、画像形成装置１において実行される各処理について説明する。図６は、画像形成装置１で実行される印刷処理のフローチャートである。画像形成装置１では、電話回線９０を介して画情報を含むデータ（ファクシミリデータ）を受信した場合や、インターフェース８１を介してパーソナルコンピュータなどから印刷データが入力された場合、更には、操作パネル１４の所定の入力操作によって、外部メモリなどに記憶されるデータの印刷（記録）を指示するコマンドが入力された場合などが、画像形成装置１に対する記録の要求となって、図６に示す印刷処理が開始される。
【０１３５】
この印刷処理では、まず、搬送モータ７９を逆回転で駆動し、レジストローラ対２７を逆方向（反紙送り方向）に回転させる（Ｓ１）。その後、給送モータ７７を駆動し、給紙ローラ６を紙送り方向に、予め定めた回転量、回転させる（Ｓ２）。これにより、給紙ローラ６に当接する給紙カセット３内に堆積された最上部の記録用紙Ｐ（または給紙カセット３上に挿入された記録用紙Ｐ）が１枚、分離搬送され、給送路９を経由してレジストローラ対２７まで給送される。
【０１３６】
給送路９の距離は既知であるので、記録用紙Ｐを給送路９の距離分に相当する給紙ローラ６の回転量も既知である。この給送路９の距離に対応する回転量に余剰の回転量が加算された回転量が、記録用紙Ｐを給紙カセット３からレジストローラ対２７まで給送（搬送）するために必要な回転量として予め定められている。給送モータ７７は、給紙ローラ６を、この予め定めた回転量、回転させることにより、給送路９の距離分以上に相当する回転量にて給紙ローラ６を回転させ、確実に、記録用紙Ｐをレジストローラ対２７まで給送する。このとき、レジストローラ対２７は、反紙送り方向に回転しているので、記録用紙Ｐはレジストローラ対２７から先には送出されず、記録用紙Ｐの先端縁がレジストローラ対２７に到達すると記録用紙給紙ローラ６は記録用紙Ｐに対し滑った状態で回転する。これにより、記録ヘッド４の側に送り出す記録用紙Ｐの先端縁を、主走査方向（Ｙ軸方向）に沿って揃えることができる。
【０１３７】
そして、給送モータ７７の駆動を停止し（Ｓ３）、記録開始位置テーブル６２ａから、縁の有無とはみだし量メモリ６４ａに記憶されているはみだし量とに基づいて、対応する記録開始位置を読み出す（Ｓ４）。上記したように、縁有り画像記録である場合と、縁無し画像記録である場合には、記録開始位置が異なっており、縁無し画像記録である場合には、更に、操作者によりはみだし量が指定されている場合がある。縁無し画像記録であるか縁有り画像記録であるかは、画像形成装置１に入力された印刷データ（ファクシミリデータ）に縁無しの指定がなされている（余白「０」の指示が印刷データと共に入力されている）か否かによって判断される。また、画像形成装置１では、縁無し画像記録である場合には、操作者によりはみだし量の指定（選択入力）が可能となっている。はみだし量メモリ６４ａには、初期値（２．５ｍｍ）が記憶されているが、はみだし量メモリ６４ａの値は、操作者にて指定されたはみだし量にて更新されるようになっている。このため、縁無し画像記録である場合には、はみだし量メモリ６４ａに記憶されている値を読みとり、読みとった値に対応する記録開始位置を、記録開始位置テーブル６２ａから読み出すのである。
【０１３８】
続いて、搬送モータ７９を正回転で駆動してレジストローラ対２７を紙送り方向に回転させ、記録用紙Ｐを読み出した記録開始位置まで搬送する（Ｓ５）。記録開始位置テーブル６２ａには、レジストローラ対２７のニップ点から記録開始位置までの回転量が記録開始位置として記憶されている。従って、読み出した回転量分搬送モータ７９を駆動することにより、対応する記録開始位置まで記録用紙Ｐが搬送される。その後、主走査方向に移動させるキャリッジ５の速度４０ｉｐｓをＣＲ速度メモリ６３ａにセットし（Ｓ６）、ＣＲ速度メモリ６３ａにセットされた速度でＣＲモータ２５を駆動しつつ１バンド分の記録を実行する（Ｓ７）。ここで、１バンドとは、１回の記録（往路または復路の１回の移動に伴う記録）にて記録される範囲であり、使用されるノズル本数によって定められるものである。１回の記録で使用されるノズルは１ラインではなく、複数ラインのノズルが使用されるので、１ラインの記録ではなく、１バンドの記録となる。
【０１３９】
記録ヘッド４による１バンドの記録が終了するタイミングで、ＣＰＵ６１はＣＲモータドライバ７６に減速指示を出力する。これにより、キャリッジ５は減速され停止に至る。このキャリッジ５の停止は、エンコーダストリップにより検出される。尚、記録用紙の幅（主走査方向の長さ）に対して、印刷データ（ビットデータ）が、記録用紙の縁よりも内側で終了する場合には、印刷データの終了位置（記録端）をキャリッジ５の停止位置としても良く、また、印刷データの終了位置（記録端）に関わらず、常に、キャリッジ５の往路の終端を記録用紙の幅よりも外方の所定位置とし、かかる所定位置をキャリッジ５の停止位置としても良い。
【０１４０】
次に、記録用紙Ｐを搬送方向に搬送するためのフィード処理を実行してから（Ｓ８）、記録ヘッド４を駆動して記録用紙Ｐに対し記録を実行する印刷実行処理（Ｓ９）を実行した後（Ｓ９）、１頁の記録（印刷）が終了したか否かを確認する（Ｓ１０）。その結果、１頁の記録（印刷）が終了していなければ（Ｓ１０：Ｎｏ）、その処理をフィード処理（Ｓ８）に移行し、１頁の記録（印刷）が終了するまで繰り返してフィード処理（Ｓ８）と印刷実行処理（Ｓ９）とを繰り返す。一方、Ｓ１０の処理で確認した結果、１頁の記録（印刷）が終了していれば（Ｓ１０：Ｙｅｓ）、搬送モータ７９により排紙ローラ２８ｂの回転速度を増大させ、高速で記録用紙Ｐを排出して（Ｓ１１）、この印刷処理を終了する。
【０１４１】
図７は、図６の印刷処理の中で実行されるフィード処理（Ｓ８）のフローチャートである。フィード処理（Ｓ８）では、まず、要求された記録が縁無し画像記録（縁無し印刷）であるか否かを判断する（Ｓ２１）。縁無し画像記録であるか否かは、入力された印刷データに縁無しを指定する情報が付加されているか否かにより判断される。ここで、縁無し画像記録であると判断されると（Ｓ２１：Ｙｅｓ）、記録開始位置から「１インチ＋はみだし量メモリ６４ａに記憶される値」分、記録用紙Ｐが搬送されたか否かを確認する（Ｓ２２）。
【０１４２】
縁無し画像記録時のはみだし量には、初期値として２，５ｍｍが設定されている。本実施形態においては、記録用紙Ｐ上、その先端縁から１インチ搬送方向上流側に後退した位置まで、縁無し画像記録特有の制御でキャリッジ５を動作させる区間（特有の制御区間）としている。つまり、画像形成装置１では、縁無し画像記録におけるはみだし量の初期値を２．５ｍｍとしているので、インクを吐出する最下流側のノズルから２．５ｍｍ搬送方向上流側の位置が基準となる記録開始位置となる。従って、記録用紙Ｐの先端縁から１インチまでを縁無し画像記録特有の制御でキャリッジ５を動作させる区間とした場合には、記録開始位置から１インチ＋２．５ｍｍが搬送されることにより、該特有の制御区間が終了する。はみだし量が１ｍｍに指定されている場合には、記録用紙Ｐの先端縁は、初期値よりも１．５ｍｍ搬送方向下流側に搬送された状態で記録が開始され、記録開始位置から「１インチ＋１ｍｍ」、記録用紙Ｐが搬送されると、上記の特有の制御区間が終了する。同様にはみだし量が０．５ｍｍで設定されていると、記録開始位置から「１インチ＋０．５ｍｍ」、はみだし量が０ｍｍで設定されていると、記録開始位置から「１インチ＋０ｍｍ」記録用紙Ｐが搬送されると、上記の特有の制御区間が終了する。Ｓ２２の処理では、この特有の制御区間が終了したか否かを判断しているのである。尚、かかる特有の制御区間である「１インチ＋はみだし量」が請求項２および１１に記載の先端縁を含む領域に該当する。かかる先端縁を含む領域は、郵便はがきなどで宛名面の反対面に縁無し画像を形成する場合に、裏面となる宛名面の郵便番号欄をインクミストで汚すことなく記録するために必要とされる領域となっている。
【０１４３】
このＳ２２の処理において、記録用紙Ｐが、記録開始位置から「１インチ＋はみだし量メモリ６４ａに記憶される値」分、未だ搬送されていない判断されると（Ｓ２２：Ｎｏ）、時計回路６６の時間を読み取って、待機時間メモリ６４ｂに記憶される待機時間、Ｓ２４以降の処理をウェイトし、キャリッジ５の搬送を待機する（Ｓ２３）。つまり、ＣＰＵ６１は、キャリッジ５の停止後、このＳ２３の処理の中で、時計回路の時間（時刻）を監視し、待機時間メモリ６４ｂに記憶される待機時間が経過するまで、キャリッジ５の搬送を待機する。
【０１４４】
待機時間メモリ６４ｂには、初期値として待機時間「１秒」が記憶されているので、操作者による待機時間の更新がなされていなければ、「１秒」、キャリッジ５の駆動（移動開始）が待機される。操作者による操作によって、待機時間メモリ６４ｂに記憶される待機時間が「２秒」、または「３秒」に設定されていると、設定された待機時間に応じて、「２秒」、または「３秒」キャリッジ５の駆動が待機される。また、待機時間メモリ６４ｂに待機時間「０秒」が記憶されている場合には、待機時間は「０秒」であるので、直ちに、Ｓ２４の処理が実行される。
【０１４５】
そして、要求された記録に対し双方向記録が指定されているか（高速印刷モードが指定された印刷データであるか）否かが確認され（Ｓ２４）、双方向記録の指定でなければ（Ｓ２４：Ｎｏ）、要求された記録に対しては、高画質の記録（高画質モード、片方向記録）が指定されているものと認識し、ＣＲ速度メモリ６３ａに４ｉｐｓをセットする（Ｓ２５）。続いて、搬送モータ７９を駆動して記録用紙を所定量搬送した後（Ｓ２６）、ＣＲ速度メモリ６３ａにセットされた速度が４ｉｐｓであるか否かを確認し（Ｓ２７）、４ｉｐｓがセットされていれば（Ｓ２７：Ｙｅｓ）、ＣＲ速度メモリ６３ａにセットされた速度で、キャリッジ５を往路の印刷開始位置に移動して（Ｓ２８）、このフィード処理（Ｓ８）を終了する。これにより、引き続き実行される印刷実行処理において、キャリッジ５に往路を移動させつつ記録ヘッド４による記録を実行することとなる。
【０１４６】
尚、印刷開始位置とは、主走査方向において次の記録が開始される開始位置である。即ち、片方向記録においては、この印刷開始位置は、往路側の印字の始点となり、双方向記録においては、往路側の印字の始点または復路側の印字の始点のいずれかとなる。
【０１４７】
このように、縁無し画像記録である場合に、記録動作を終了したキャリッジ５の移動開始を待機させ、更に、キャリッジ５の移動速度を４ｉｐｓという低速度で行うことにより、記録用紙Ｐの先端縁近傍の裏面に生じるインクミストによる汚れを抑制することができる。
【０１４８】
また、Ｓ２１の処理で確認した結果、要求された記録が縁無し画像記録（縁無し印刷）でないと判断されると（Ｓ２１：Ｎｏ）、要求された記録は縁有り画像記録（縁有り印刷）である。従って、ノズルから吐出されるインクは、全て記録用紙上に着弾するので、インクミストの発生を懸念する必要はない。このため、ＣＲ速度メモリ６３ａに４０ｉｐｓをセットして（Ｓ２９）、その処理をＳ２６の処理に移行する。これによりキャリッジ５の移動開始を待機するＳ２３などの処理が回避される。
【０１４９】
更に、Ｓ２２の処理で確認した結果、記録用紙Ｐが、記録開始位置から「１インチ＋はみだし量メモリ６４ａに記憶される値」分、すでに搬送されたと判断されると（Ｓ２２：Ｙｅｓ）、縁無し画像記録であっても、縁無し画像記録特有の制御でキャリッジ５を動作させる区間（特有の制御区間）は終了している。このため、その処理をＳ２９の処理に移行する。これにより、特有の制御区間が終了すると、待機時間「０秒」、往路の移動速度４０ｉｐｓ、復路の移動速度４０ｉｐｓで、キャリッジ５が駆動される。
【０１５０】
縁無し画像記録では、記録用紙Ｐの先端縁のみならず、後端縁を越えても記録動作が行われる。このため、記録用紙Ｐの後端縁を越えて記録動作を行う場合にも、インクミストが発生する。しかし、記録用紙Ｐの後端縁は、インクミストの発生箇所（段落ち棚板４３）から離れる方向に搬送されるので、発生したインクミストにより、先端縁のように記録用紙Ｐが汚染されることはない。従って、画像形成装置１では、記録用紙Ｐの先端縁から１インチを、縁無し画像記録特有の制御でキャリッジ５を動作させる区間（特有の制御区間）としている。
【０１５１】
尚、記録用紙Ｐ上にノズルから吐出されるインクが全て着弾する状態、つまり、記録用紙Ｐの先端縁が、インクを吐出する最も下流側のノズル（本実施の形態では７番目のノズル）を越えて搬送方向下流側に配置される位置関係となると、インクミストは未発生となるので、かかるインクミストによる記録用紙Ｐの先端縁近傍の裏面の汚染を懸念する必要がなくなる。従って、上記の特有の制御区間（記録用紙Ｐの先端縁を含む領域）は、記録用紙Ｐの先端縁から１インチに限られるものではなく、例えば、記録用紙Ｐの先端縁がインクを吐出する最も下流側のノズルをわずかに越える程度（例えば記録用紙Ｐの先端縁から１ｍｍなど）としてもよい。
【０１５２】
更に、Ｓ２４の処理で確認した結果、双方向記録の指定（高速印刷モードが指定された印刷データ）であれば（Ｓ２４：Ｙｅｓ）、その処理をＳ２９の処理に移行して、キャリッジ５の移動開始を待機するＳ２３などの処理を回避する。
【０１５３】
操作者が記録を行う記録物には、各種のものが存在する。このため、縁無し画像記録であっても、操作者は、一様に、高画質の記録を望むものではなく、また、先端縁近傍の裏面の汚染についても、重要な問題となる場合と否である場合がある。例えば、郵便はがきなどで宛名面の反対面に縁無し画像を形成した場合、裏面となる宛名面の先端縁近傍に設けられた郵便番号欄がインクミストで汚れてしまうと、郵便番号が読みとり不能となるなどの許容しがたい問題となる。一方で、記録物の種類によっては、裏面の汚れの程度よりも、記録速度が優先されるものもある。
【０１５４】
このため、本実施形態においては、操作者により、はみだし量、待機時間、（場合によってはリターン速度）を選択可能とし、操作者が記録物の種類や嗜好に応じて、所望の品質の記録物を作製することができるように構成されているのである。
【０１５５】
図８は、図６の印刷処理の中で実行される印刷実行処理（Ｓ９）のフローチャートである。印刷実行処理（Ｓ９）では、キャリッジ５が印刷開始位置にセットされているか否かを確認し（Ｓ４０）、ここで、キャリッジ５が印刷開始位置にセットされている場合は（Ｓ４０：Ｙｅｓ）、片方向記録での往路の印字の始点にキャリッジがセットされているので、ＣＲ速度メモリ６３ａに４０ｉｐｓをセットした後（Ｓ４１）、ＣＲ速度メモリ６３ａにセットされた速度でＣＲモータ２５を駆動しつつ、１バンド分の記録を実行し（Ｓ４２）、この印刷実行処理（Ｓ９）を終了する。
【０１５６】
一方、Ｓ４０の処理で確認した結果、キャリッジ５が印刷開始位置にセットされていなければ（Ｓ４０：Ｎｏ）、ＣＲ速度メモリ６３ａにセットされた速度でＣＲモータ２５を駆動しつつキャリッジ５を印刷開始位置に移動させる（Ｓ４３）。この場合、開始する記録が復路の記録であれば、復路の印字の始点にキャリッジ５は移動され、開始する記録が往路の記録であれば、往路の印字の始点にキャリッジ５は移動される。その後、ＣＲ速度メモリ６３ａにセットされた速度でＣＲモータ２５を駆動しつつ、１バンド分の記録を実行して（Ｓ４４）、この印刷実行処理（Ｓ９）を終了する。これにより、双方向記録である場合、および、縁無し記録で且つ片方向記録であっても、記録用紙Ｐの先端縁を含む領域に対する特有の制御区間が終了すると、ＣＲ速度メモリ６３ａには、必ず４０ｉｐｓがセットされる。従って、双方向記録である場合、キャリッジ５の移動速度を一定として、同じ記録速度で安定した記録を実現できる。
【０１５７】
この印刷実行処理（Ｓ９）によれば、縁無し画像記録である場合に、復動速度が４ｉｐｓに設定されていても、記録速度（記録時のキャリッジ５の移動速度）は４０ｉｐｓに設定される。このため、記録用紙Ｐの裏面の汚染を低減するためにウェイトやリターン速度の低速化などが実行されても、記録については通常と同じ速度で実行することにより、全体的な記録速度の低下幅を圧縮することができる。
【０１５８】
このように、画像形成装置１によれば、縁無し画像記録である場合に、記録ヘッド４にて記録を実行しつつ往路を移動したキャリッジ５が、復路の移動を開始するまでの待機時間を通常よりも長くする事ができる上、復路を移動するキャリッジの速度（リターン速度）を遅くすることができる。このため、発生したインクミストによる記録用紙Ｐの（先端縁近傍の裏面に対する）汚染を改善することができる。更に、待機時間およびリターン速度は、操作パネル１４への操作者の入力操作により、変更することができる。このため、操作者の所望する様式で記録を実行できる。
【０１５９】
尚、本実施形態において、請求項１および１０に記載の制御手段としては、図７のフローチャートのフィード処理が該当する。請求項３記載の制御手段としては、図８のフローチャートのＳ４１，Ｓ４２の処理が該当する。請求項８および請求項１５記載の判断手段としては、図７のフローチャートのＳ２１の処理が該当する。
【０１６０】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【０１６１】
例えば、上記実施形態においては、待機時間は、０〜３秒の範囲で１秒単位で設定されるものとしたが、これに限られるものでなく、例えば、設定される時間の単位を更に小さく、または大きくしてもよく、３秒以上の待機時間が設定できるようにしても良い。また、任意の待機時間を入力できるように構成してもよい。更に、待機時間は予め定めた固定値を採用するものとし、待機を行うか否かを操作者の操作に応じて切り替える（画像形成装置１に指示する）スイッチと、そのスイッチの状態を示すフラグとを設けると共に、該フラグの状態を判断するステップをフィード処理（Ｓ８）に設け、フィード処理（Ｓ８）にてかかるフラグがオンであると判断されるとＳ２３の処理を実行し、オフであると判断されるとＳ２３の処理を回避するように構成しても良い。尚、かかるスイッチおよびフラグが請求項６記載の第１指示手段に該当し、該スイッチおよびフラグの状態に基づいて実行されるフィード処理（Ｓ８）が請求項６記載の制御手段に該当する。
【０１６２】
更に、上記実施形態においては、操作者の入力操作によりリターン速度を４０ｉｐｓまたは４ｉｐｓのいずれかに設定可能とされたが、設定される速度はこれに限られるものでなく、４０ｉｐｓ以下の任意の速度を設定できるように構成しても良い。更に、設定できるリターン速度を複数（３以上）の速度の中から選択できるように構成しても良い。
【０１６３】
また、片方向記録の場合に４ｉｐｓでの復動を行うことを指定するスイッチと、そのスイッチの状態を示すフラグとを設けると共に、該フラグの状態を判断するステップをフィード処理（Ｓ８）に設け、フィード処理（Ｓ８）にてかかるフラグがオンであると判断されると、Ｓ２３の処理の処理にて４ｉｐｓをＣＲ速度メモリ６３ａにセットし、オフであると判断されるとかかるＳ２３の処理を回避するように構成しても良い。尚、かかるスイッチおよびフラグが請求項１４記載の第２指示手段に該当し、該スイッチおよびフラグの状態に基づいて実行されるフィード処理（Ｓ８）が請求項１４記載の制御手段に該当する。尚、上記したように、ＣＲ速度メモリ６３ａにセットされる値は、操作者により入力された値（リターン速度メモリ６４ｃに設定された値）であっても良い。
【０１６４】
このように、スイッチのオンオフにより、キャリッジ５の移動開始の待機あるいはキャリッジ５のリターン速度の遅い速度への変更を実行する構成とすれば、操作パネル１４を使用した待機時間およびリターン速度の設定に比べ、その設定を簡便とすることができ、操作者の手間を軽減できる。
【０１６５】
更に、画像形成装置１に入力された印刷データに縁無しの指定がなされている（余白「０」の指示が印刷データと共に入力されている）場合であっても、縁部のビットデータの密度が（所定の閾値より）小さい印刷データである場合には、キャリッジ５の移動開始待機を非実行とし、また、リターン速度を４０ｉｐｓに設定するようにしてもよい。縁部でのインク吐出量が少ない記録物については、縁無し画像記録であってもインクミストの発生量が少ない。従って、高速で印刷を行っても十分な記録品質を実現でき、無駄に記録時間が長くなることを回避できる。
【０１６６】
また、待機時間は、時計回路６６が示す時間をＣＰＵ６１にて読み取る（監視する）ことにより計時されたが、これに代えて、待機時間に対応するカウント値がセットされるカウンタを備え、所定時間間隔で信号を出力する回路からの信号に応じて、該カウンタのカウント値を減算し、カウント値が「０」になると計時を終了するタイマによって待機時間を計時してもよい。
【０１６７】
更には、本実施形態においては、フィード処理（Ｓ８）において、Ｓ２３の処理においてキャリッジ５が停止している間は、記録用紙Ｐの搬送についても停止したが、これに代えて、キャリッジ５が停止中であっても、記録用紙Ｐについては搬送を実行するように構成しても良い。記録用紙Ｐが搬送されても、キャリッジ５を駆動させた場合ほど、インクミストが巻き上げられることはない。従って、記録用紙Ｐの搬送を行っても、インクミストによる汚染を十分に抑制できると共に、次の記録を迅速に開始することができ、全体の記録効率を向上させることができる。
【０１６８】
更に、本実施の形態においては、フィード処理（Ｓ８）においては、先端縁を含む領域における縁無し画像記録である場合に限って、キャリッジ５の待機や復路の速度を４ｉｐｓとする処理を実行したが、主走査方向の端部におけるはみだしが大きい場合には、かかる処理を主走査方向の端部においても適用しても良い。これによれば、主走査方向の端部において記録用紙Ｐにインクミストによる汚染が発生する場合にも、これに対応して、その汚染を改善することができる。
【０１６９】
また、本実施の形態においては、キャリッジ５の移動開始に際して、その都度、ＣＲ速度メモリ６３ａに４ｉｐｓまたは４０ｉｐｓのいずれかを書き込み、そのＣＲ速度メモリ６３ａに記憶される値に基づいて、キャリッジ５を移動させた。これに代えて、４ｉｐｓがセットされたことを示すフラグを設け、かかるフラグがオンであれば４ｉｐｓで、フラグがオフであれば４０ｉｐｓでキャリッジ５を移動させても良い。また、先端縁を含む領域に対する記録動作が終了した場合には、ＣＲ速度メモリ６３ａへの速度の書込み及び参照を非実行として、記録終了まで４０ｉｐｓで移動するように構成しても良い。
【図面の簡単な説明】
【０１７０】
【図１】本発明の画像形成装置の斜視図である。
【図２】本発明の画像形成装置のプリンタ部の断面図である。
【図３】プリンタ部の要部側断面図である。
【図４】画像形成装置において実行される記録の種類について説明する図である。
【図５】画像形成装置の電気的構成を示したブロック図である。
【図６】画像形成装置で実行される印刷処理のフローチャートである。
【図７】図６の印刷処理の中で実行されるフィード処理のフローチャートである。
【図８】図６の印刷処理の中で実行される印刷実行処理のフローチャートである。
【図９】はみだし量、待機時間、リターン速度と記録用紙の裏面の汚染面積との関係を示した図である。
【符号の説明】
【０１７１】
１    画像形成装置
２    ハウジング
４    記録ヘッド
５    キャリッジ（移動手段）
１１  外部メモリ挿入部（記録情報入力手段）
１４  操作パネル（時間入力手段、速度入力手段）
２５  ＣＲモータ（駆動手段の一部）
２６  プラテン
２７  レジストローラ対（媒体搬送手段の一部）
２８ａ拍車ローラ（媒体搬送手段の一部）
２８ｂ排紙ローラ（媒体搬送手段の一部）
３４  インク受け部
４０  平板としての棚板
５２  溝
５３  インク吸収体
５６  拍車ローラ
６１  ＣＰＵ（制御手段の一部）
６４ｂ待機時間メモリ（時間記憶手段）
６４ｃリターン速度メモリ（速度記憶手段）
６６  時計回路（計時手段）
６７  ＮＣＵ（記録情報入力手段の一部）
７６  ＣＲモータドライバ（駆動手段の一部）
７９  搬送モータ（媒体搬送手段の一部）
８０  搬送モータドライバ（媒体搬送手段の一部）
８１  インターフェース（記録情報入力手段の一部）
【図１】
2006103010.tif 000003
【図２】
2006103010.tif 000004
【図３】
2006103010.tif 000005
【図４】
2006103010.tif 000006
【図５】
2006103010.tif 000007
【図６】
2006103010.tif 000008
【図７】
2006103010.tif 000009
【図８】
2006103010.tif 000010
【図９】
2006103010.tif 000011